(57)【要約】【課題】ユーザにとって直感的な操作を実現可能な電子機器を得る。【解決手段】電子機器７０００は、液晶パネルの表示画面上の物体を、当該表示画面を介してスキャンする表示装置１０３と、スキャンにより得られたデータに基づいて、物体が接触している表示画面における接触領域の形状を特定する特定部３４０と、接触領域の形状に基づいて、電子機器の動作モードを、複数の動作モードのうちのいずれかの動作モードに設定する設定部３１４とを備える。【選択図】図７０
2011008425.tif 000002
【特許請求の範囲】
【請求項１】
第１表示画面を備えた電子機器であって、
前記第１表示画面上の物体を、当該第１表示画面を介してスキャンするスキャン手段と、
前記スキャンにより得られたデータに基づいて、前記物体が接触している前記第１表示画面における接触領域の形状を特定する特定手段と、
前記接触領域の形状に基づいて、前記電子機器の動作モードを、複数の動作モードのうちのいずれかの動作モードに設定する設定手段とを備える、電子機器。
【請求項２】
前記設定手段は、前記形状を楕円形状として処理するとともに、当該楕円の長軸の長さと短軸の長さとに基づいて前記動作モードを設定する請求項１に記載の電子機器。
【請求項３】
前記電子機器は、
前記第１表示画面を含む第１ディスプレイと複数の入力キーを含む入力キー群とを含む入力装置と、
第２表示画面を含む第２ディスプレイとをさらに備え、
前記第１ディスプレイと前記入力キー群とは、Ｘ軸と当該Ｘ軸に垂直なＹ軸とで規定される平面上に配されており、
前記第１ディスプレイは、前記入力キー群よりもＹ軸負方向側に配されており、
前記第２ディスプレイは、前記入力キー群よりもＹ軸正方向側に配されており、
前記複数の入力キーのうち少なくとも１つの入力キーには、当該入力キーに割り当てられた文字が表示されており、
前記Ｙ軸負方向側から前記Ｙ軸正方向側に向かって、前記文字が正立している、請求項１または２に記載の電子機器。
【請求項４】
前記電子機器は、
前記第１表示画面および前記第２表示画面の各々に画像を表示させる表示制御手段をさらに備え、
第１オペレーティングシステムと第２オペレーティングシステムとを実行し、
前記表示制御手段は、前記第１表示画面に、前記第１オペレーティングシステムに基づく画像を表示させ、前記第２表示画面に、前記第２オペレーティングシステムに基づく画像を表示させる、請求項３に記載の電子機器。
【請求項５】
前記電子機器は、
前記第１表示画面を含むディスプレイと複数の入力キーを含む入力キー群とを備えた入力装置であり、
前記ディスプレイと前記入力キー群とは、Ｘ軸と当該Ｘ軸に垂直なＹ軸とで規定される平面上に配されており、
前記ディスプレイは、前記入力キー群よりもＹ軸負方向側に配されており、
前記複数の入力キーのうち少なくとも１つの入力キーには、当該入力キーに割り当てられた文字が表示されており、
前記Ｙ軸負方向側から前記Ｙ軸正方向側に向かって、前記文字が正立している、請求項１または２に記載の電子機器。
【請求項６】
前記電子機器は、
前記第１表示画面を含むディスプレイであり、
前記第１表示画面にソフトウェアキーボードを示したキーボード画像を表示させる表示制御手段をさらに備える、請求項１または２に記載の電子機器。
【請求項７】
前記電子機器は、前記第１表示画面を含むディスプレイと、複数の入力キーを含む入力キー群を備えたキーボードとをさらに備えており、
前記キーボードが前記第１表示画面上に載置されている、請求項１または２に記載の電子機器。
【請求項８】
前記電子機器は、
前記第１表示画面を含んだ表示装置と、
前記第１表示画面に対する外部光源による散乱光の入射光量が、予め定められた値よりも大きいかを判断する光量判断手段とをさらに備え、
前記表示装置は、当該表示装置の内部に、前記第１表示画面から当該表示装置の外部に光を照射する光源を含み、
前記スキャン手段は、
前記入射光量が前記予め定められた値よりも大きいと判断された場合、前記散乱光を用いて前記スキャンを行い、前記入射光量が前記予め定められた値よりも大きくないと判断された場合、前記表示装置の外部に光を照射する光源から照射される光を用いた前記スキャンを行う、請求項１または２に記載の電子機器。
【請求項９】
前記電子機器は、
前記第１表示画面を含んだ表示装置と、
前記第１表示画面に対する外部光源からの散乱光の入射光量が、予め定められた値よりも大きいか否かを判断する光量判断手段と、
前記物体が前記第１表示画面に接触している状態において、前記散乱光によって前記物体が前記第１表示画面上に形成する影の本数を、前記スキャンにより得られたデータに基づいて測定する本数測定手段と、
前記影の本数が、予め定められた値よりも多いか否かを判断する本数判断手段と、
前記表示装置の外部に前記第１表示画面に対して光を照射する第１光源とをさらに備え、
前記表示装置は、当該表示装置の内部に、前記第１表示画面から当該表示装置の外部に光を照射する第２光源を含み、
前記スキャン手段は、
前記入射光量が前記予め定められた値よりも大きいと判断された場合、前記影の本数が予め定められた値よりも多いと判断されたとき、前記第１光源から照射される光を用いた前記スキャンを行い、前記影の本数が当該予め定められた値よりも多くないと判断されたとき、前記散乱光を用いて前記スキャンを行い、
前記入射光量が前記予め定められた値よりも大きくないと判断された場合、前記第２光源から照射される光を用いた前記スキャンを行う、請求項１または２に記載の電子機器。
【請求項１０】
表示画面を備えた電子機器における動作モード設定方法であって、
前記表示画面上の物体を、当該表示画面を介してスキャンするステップと、
前記スキャンにより得られたデータに基づいて、前記物体が接触している前記表示画面における接触領域の形状を特定するステップと、
前記接触領域の形状に基づいて、前記電子機器の動作モードを、複数の動作モードのうちのいずれかの動作モードに設定するステップとを備える、動作モード設定方法。
【請求項１１】
表示画面を備えた電子機器における動作モードを制御するプログラムであって、
前記プログラムは、
前記表示画面上の物体を、当該表示画面を介してスキャンするステップと、
前記スキャンにより得られたデータに基づいて、前記物体が接触している前記表示画面における接触領域の形状を特定するステップと、
前記接触領域の形状に基づいて、前記電子機器の動作モードを、複数の動作モードのうちのいずれかの動作モードに設定するステップとを前記電子機器に実行させる、プログラム。
【発明の詳細な説明】
【技術分野】
【０００１】
本発明は、電子機器、当該電子機器の動作モード設定方法、および当該電子機器を制御するプログラムに関する。特に、タッチ入力を受け付ける電子機器、当該電子機器の動作モード設定方法、および当該電子機器を制御するプログラムに関する。
【背景技術】
【０００２】
従来、ノート型のパーソナルコンピュータは、通常、タッチパッドが備えられている。ユーザは、タッチパッド上で指を滑らせることにより、画面に表示されたマウスカーソルを移動させることができる。
【０００３】
特許文献１には、上記タッチパッドを備えたノート型のパーソナルコンピュータとして、当該タッチパッドの背面に液晶表示パネルを備えた携帯型パーソナルコンピュータが開示されている。当該携帯型パーソナルコンピュータは、機能ボタンを備えている。
【０００４】
当該機能ボタンが操作されたとき、携帯型パーソナルコンピュータは、液晶表示パネルに機能を選択するためのメニューを表示する。ユーザが当該メニューの中からたとえばテンキーボタンを選択すると、携帯型パーソナルコンピュータは、テンキーを上記液晶パネルに表示する。ユーザは、タッチパッドを介して当該テンキーを操作することにより、演算を携帯型パーソナルコンピュータに実行させることができる。一方、機能ボタンが操作されていないときには、ユーザは、タッチパッドを介して、従来と同様の入力を行なうことができる。たとえば、ユーザは、マウスカーソルの移動を行なうことができる。
【０００５】
特許文献２には、上記タッチパッドを備えたノート型のパーソナルコンピュータとして、タッチパネル式の携帯情報処理装置が開示されている。当該携帯情報処理装置は、タッチパネルへの接触面積を検出する。また、携帯情報処理装置は、当該検出されたタッチ面積と予め設定された面積で表されるパラメータとに基づき、タッチペンでタッチされたか、あるいは指でタッチされたかを判別する。携帯情報処理装置は、指でタッチされたと判断した場合、入力座標データ（たとえばテンキー）を指で入力可能な大きさで表示する。
【０００６】
また、従来、タッチパネルやデジタイザといった座標入力装置が知られている。
特許文献３には、上記座標入力装置として、タッチパネルの機能とデジタイザの機能とを備えた構成が開示されている。より詳しくは、特許文献３の座標入力装置は、２つの光走査検出部が、当該座標入力装置の入力板への指示位置を検出するタッチパネルを構成する。また、２つの振動センサが、入力板に印加された振動に基づいて、高精度に座標値を獲得するデジタイザを構成する。
【０００７】
座標入力の行われた状態では、座標入力装置は、一方の光走査検出部のみを駆動して、入力板に近接あるいは接触する物体の大きさを検出する。検出された大きさが所定の値よりも小さい（指先程度の大きさ）場合は、座標入力装置は、タッチ入力があったものと判定して、２つの光走査検出部を駆動してタッチ入力の座標値を獲得する。一方、検出された大きさが所定の値よりも大きい（握り拳以上の大きさ）場合は、座標入力装置は、ペン入力が行われていると判断し、２つの振動センサにより座標検出を行なう。
【先行技術文献】
【特許文献】
【０００８】
【特許文献１】特開２０００−３３９０９７号公報
【特許文献２】特開平９−２３１００６号公報
【特許文献３】特開平１０−２５４６２３号公報
【発明の概要】
【発明が解決しようとする課題】
【０００９】
しかしながら、特許文献１の携帯型パーソナルコンピュータでは、上述した機能ボタンを備える必要がある。また、携帯型パーソナルコンピュータは、少なくとも機能ボタンのオン・オフによって動作モードが切り換えるため、ユーザは、携帯型パーソナルコンピュータの動作モードが、どの動作モードであるのかを意識する必要がある。
【００１０】
また、特許文献２の携帯情報処理装置では、たとえばユーザが指でタッチする場合、ユーザは、入力座標データをタッチする操作（タッチ入力操作）しか行なえない。また、ユーザがタッチペンでタッチする場合であっても、ユーザは、タッチ入力操作しか行なえない。
【００１１】
また、特許文献３の座標入力装置は、検出した物体の大きさのみに着目して処理を行なうため、指の接触のさせ方に応じた処理を行なうことはできない。つまり、ユーザがどのような姿勢で指を接触させようが、座標入力装置が実行する処理は異なることはない。さらに、ユーザがタッチペンを用いている場合であっても、手の掌が近接あるいは接触していないときには、座標入力装置は、指によるタッチ入力と判断してしまう。
【００１２】
本願発明は、上記問題点に鑑みなされたものであって、その目的は、ユーザにとって直感的な操作を実現可能な電子機器、当該電子機器の動作モード設定方法、およびプログラムを提供することにある。
【課題を解決するための手段】
【００１３】
本発明のある局面に従うと、電子機器は、第１表示画面を備えた電子機器であって、第１表示画面上の物体を、当該第１表示画面を介してスキャンするスキャン手段と、スキャンにより得られたデータに基づいて、物体が接触している第１表示画面における接触領域の形状を特定する特定手段と、接触領域の形状に基づいて、電子機器の動作モードを、複数の動作モードのうちのいずれかの動作モードに設定する設定手段とを備える。
【００１４】
好ましくは、設定手段は、形状を楕円形状として処理するとともに、当該楕円の長軸の長さと短軸の長さとに基づいて動作モードを設定する。
【００１５】
好ましくは、電子機器は、第１表示画面を含む第１ディスプレイと複数の入力キーを含む入力キー群とを含む入力装置と、第２表示画面を含む第２ディスプレイとをさらに備える。第１ディスプレイと入力キー群とは、Ｘ軸と当該Ｘ軸に垂直なＹ軸とで規定される平面上に配されている。第１ディスプレイは、入力キー群よりもＹ軸負方向側に配されている。第２ディスプレイは、入力キー群よりもＹ軸正方向側に配されている。複数の入力キーのうち少なくとも１つの入力キーには、当該入力キーに割り当てられた文字が表示されている。Ｙ軸負方向側からＹ軸正方向側に向かって、当該文字が正立している。
【００１６】
好ましくは、電子機器は、第１表示画面および第２表示画面の各々に画像を表示させる表示制御手段をさらに備える。電子機器は、第１オペレーティングシステムと第２オペレーティングシステムとを実行する。表示制御手段は、第１表示画面に、第１オペレーティングシステムに基づく画像を表示させ、第２表示画面に、第２オペレーティングシステムに基づく画像を表示させる。
【００１７】
好ましくは、電子機器は、第１表示画面を含むディスプレイと複数の入力キーを含む入力キー群とを備えた入力装置である。ディスプレイと入力キー群とは、Ｘ軸と当該Ｘ軸に垂直なＹ軸とで規定される平面上に配されている。ディスプレイは、入力キー群よりもＹ軸負方向側に配されている。複数の入力キーのうち少なくとも１つの入力キーには、当該入力キーに割り当てられた文字が表示されている。Ｙ軸負方向側からＹ軸正方向側に向かって、当該文字が正立している。
【００１８】
好ましくは、電子機器は、第１表示画面を含むディスプレイであり、第１表示画面にソフトウェアキーボードを示したキーボード画像を表示させる表示制御手段をさらに備える。
【００１９】
好ましくは、電子機器は、第１表示画面を含むディスプレイと、複数の入力キーを含む入力キー群を備えたキーボードとをさらに備えており、キーボードが第１表示画面上に載置されている。
【００２０】
好ましくは、電子機器は、第１表示画面を含んだ表示装置と、第１表示画面に対する外部光源による散乱光の入射光量が、予め定められた値よりも大きいかを判断する光量判断手段とをさらに備える。表示装置は、当該表示装置の内部に、第１表示画面から当該表示装置の外部に光を照射する光源を含む。スキャン手段は、入射光量が予め定められた値よりも大きいと判断された場合、散乱光を用いてスキャンを行い、入射光量が予め定められた値よりも大きくないと判断された場合、表示装置の外部に光を照射する光源から照射される光を用いたスキャンを行う。
【００２１】
好ましくは、電子機器は、第１表示画面を含んだ表示装置と、第１表示画面に対する外部光源からの散乱光の入射光量が、予め定められた値よりも大きいか否かを判断する光量判断手段と、物体が第１表示画面に接触している状態において、散乱光によって物体が第１表示画面上に形成する影の本数を、スキャンにより得られたデータに基づいて測定する本数測定手段と、影の本数が、予め定められた値よりも多いか否かを判断する本数判断手段と、表示装置の外部に第１表示画面に対して光を照射する第１光源とをさらに備える。表示装置は、当該表示装置の内部に、第１表示画面から当該表示装置の外部に光を照射する第２光源を含む。スキャン手段は、入射光量が予め定められた値よりも大きいと判断された場合、影の本数が予め定められた値よりも多いと判断されたとき、第１光源から照射される光を用いたスキャンを行い、影の本数が当該予め定められた値よりも多くないと判断されたとき、散乱光を用いてスキャンを行い、入射光量が予め定められた値よりも大きくないと判断された場合、第２光源から照射される光を用いたスキャンを行う。
【００２２】
本発明の他の局面に従うと、動作モード設定方法は、表示画面を備えた電子機器における動作モード設定方法であって、表示画面上の物体を、当該表示画面を介してスキャンするステップと、スキャンにより得られたデータに基づいて、物体が接触している表示画面における接触領域の形状を特定するステップと、接触領域の形状に基づいて、電子機器の動作モードを、複数の動作モードのうちのいずれかの動作モードに設定するステップとを備える。
【００２３】
本発明のさらに他の局面に従うと、プログラムは、表示画面を備えた電子機器における動作モードを制御するプログラムである。プログラムは、表示画面上の物体を、当該表示画面を介してスキャンするステップと、スキャンにより得られたデータに基づいて、物体が接触している表示画面における接触領域の形状を特定するステップと、接触領域の形状に基づいて、電子機器の動作モードを、複数の動作モードのうちのいずれかの動作モードに設定するステップとを電子機器に実行させる。
【発明の効果】
【００２４】
ユーザにとって直感的な操作を実現可能となる。
【図面の簡単な説明】
【００２５】
【図１】電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像を示した図である。
【図１６】他の光センサ内蔵液晶パネルの回路図である。
【図１７】スキャンの際にフォトダイオードが外光を受光する構成を示した断面図である。
【図１８】電子機器の変形例のハードウェア構成を表わすブロック図である。
【図１９】液晶パネルに対してユーザの指を寝かした状態で、指を液晶パネルの表示画面に接触させた場合を示した図である。
【図２０】液晶パネルに対してユーザの指を立てた状態で、指を液晶パネルの表示画面に接触させた場合を示した図である。
【図２１】図１９の状態で指が液晶パネルの表示画面に接触した場合における「ポインタ操作」を具体的に示した図である。
【図２２】図２０の状態で指が液晶パネルの表示画面に接触した場合における「タッチ操作」を具体的に示した図である。
【図２３】ポインタ操作とタッチ操作とを、１つの図において説明した図である。
【図２４】電子機器のブロックを示した図である。
【図２５】電子機器で実行される処理の流れを示したフローチャートである。
【図２６】接触角度に関する閾値を３つ設けた場合における、電子機器の処理の流れを示したフローチャートである。
【図２７】電子機器で実行される処理の流れを図２６よりも詳しく示したフローチャートである。
【図２８】電子機器で実行される処理の流れを図２７よりも詳しく示したフローチャートである。
【図２９】図２８のフローチャートで示した処理の一部を説明するための図である。
【図３０】液晶パネル２４０に内蔵された赤外線（内部光）を照射する光源を用いてスキャンを行った際に得られるスキャン画像を説明するための図である。
【図３１】赤外線を用いてスキャンした場合であって、接触角度θ１で指を液晶パネルの表示画面に接触させた場合における、接触領域と検出領域とを説明するための図である。
【図３２】赤外線を用いてスキャンした場合であって、接触角度θ２で指を液晶パネルの表示画面に接触させた場合における、上記接触領域と上記検出領域とを説明するための図である。
【図３３】指の接触角度を説明するための図である。
【図３４】具体的な接触角度θの検出方法の一例を説明するための図である。
【図３５】散乱光である外部光を用いてスキャンを行った際に得られるスキャン画像を説明するための図である。
【図３６】電子機器の外観を示した図である。
【図３７】図３６の光源からの光を用いてスキャンを行った際に得られるスキャン画像を説明するための図である。
【図３８】方向判断部を用いた場合の、電子機器の処理を説明するための図である。
【図３９】検出した接触角度θと方向判断部による判断結果を用いた構成を説明するための図である。
【図４０】電子機器によるスキャン方法の選択処理の流れを示したフローチャートである。
【図４１】電子機器における新たな処理を説明するための図である。
【図４２】図２７および図２８のフローチャートで示した処理の一部を説明するための図である。
【図４３】電子機器における、さらに新たな処理を説明するための図である。
【図４４】入力処理部を用いた場合における電子機器の処理を示した図である。
【図４５】電子機器で行なわれる処理の流れを示したフローチャートである。
【図４６】電子機器の変形例の外観を示した図である。
【図４７】ユーザの指の操作を示した図である。
【図４８】電子機器に対するユーザ操作を説明するための図である。
【図４９】電子機器における処理を説明するための図である。
【図５０】電子機器における他の処理を説明するための図である。
【図５１】電子機器におけるさらに他の処理を説明するための図である。
【図５２】電子機器におけるさらに他の処理を説明するための図である。
【図５３】電子機器におけるさらに他の処理を説明するための図である。
【図５４】電子機器の外観を示した図である。
【図５５】指が接触角度θ１で液晶パネルの表示画面に接触した場合における「ポインタ操作」を示した図である。
【図５６】指が接触角度θ２で液晶パネルの表示画面に接触した場合における「タッチ操作」を示した図である。
【図５７】電子機器の外観を示した図である。
【図５８】指が接触角度θ１で液晶パネルの表示画面に接触した場合における「ポインタ操作」を示した図である。
【図５９】指が接触角度θ２で液晶パネルの表示画面に接触した場合における「タッチ操作」を示した図である。
【図６０】電子機器を含んだ通信システムの構成を示した図である。
【図６１】電子機器の外観を示した図である。
【図６２】従来のパーソナルコンピュータの構成を示した図であって、図６１と比較するための比較図である。
【図６３】指を、液晶パネルの表示画面に対して寝かせた状態で接触させた場合を説明するための図である。
【図６４】指を、図６３（ａ）よりも少し立てた状態で表示画面に接触させた場合を説明するための図である。
【図６５】指を、図６４（ａ）よりも少し立てた状態で表示画面に接触させた場合を説明するための図である。
【図６６】指を、図６５（ａ）よりも少し立てた状態で表示画面に接触させた場合を説明するための図である。
【図６７】電子機器のブロックを示した図である。
【図６８】液晶パネルに内蔵された赤外線（内部光）を照射する光源を用いてスキャンを行った際に得られるスキャン画像を説明するための図である。
【図６９】液晶パネルに内蔵された赤外線を照射する光源を用いてスキャンを行った際に得られるスキャン画像を説明するための図である。
【図７０】電子機器のブロックを示した図である。
【図７１】電子機器の外観を示した図である。
【図７２】カメラにより撮影された画像を示した図である。
【図７３】電子機器のブロックを示した図である。
【図７４】立体表示装置における接触角度θの算出手法を説明するための図である。
【発明を実施するための形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
＜＜光センサ液晶を備えた電子機器について＞＞
光センサ液晶を備えた電子機器の概要について、以下説明する。なお、以下では、電子機器が２画面を備える場合を例に挙げて説明するが、これに限定されるものではない。たとえば、後述するように、電子機器は、１画面であってもよい。
【００２８】
＜１．電子機器の外観＞
図１は、本実施の形態に係る電子機器１００の外観を示した図である。図１を参照して、電子機器１００は、第１の筐体１００Ａと第２の筐体１００Ｂとを含む。
【００２９】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００３０】
ユーザが電子機器１００を使用する際には、操作キー１７７よりも液晶パネル２４０が、ユーザ側に配される。なお、以下では、説明の便宜上、液晶パネル２４０と操作キー１７７とは、Ｘ軸と当該Ｘ軸に垂直なＹ軸とで規定される平面上に配されているとして説明する。
【００３１】
液晶パネル２４０は、操作キー１７７よりもＹ軸負方向側に配されている。液晶パネル１４０は、操作キー１７７よりもＹ軸正方向側に配されている。より詳しくは、電子機器１００が開いた状態（つまり、折り畳んだ状態ではない状態）において、液晶パネル１４０は、操作キー１７７よりもＹ軸正方向側に配されている。さらに詳しくは、第１の筐体１００Ａと第２の筐体１００Ｂとのなす角度が略９０度以上の状態において、液晶パネル１４０は、操作キー１７７よりもＹ軸正方向側に配されている。また、液晶パネル１４０は、当該状態において、操作キー１７７に対して液晶パネル２４０とは反対側に配されているともいえる。操作キー１７７における複数の入力キーのうち少なくとも１つの入力キーには、当該入力キーに割り当てられた文字が表示されている。たとえば、当該文字として、アルファベットやカナが表示されている。また、Ｙ軸負方向側からＹ軸正方向側に向かって、上記文字が正立している。たとえば、操作キー１７７がＱＷＥＲＴＹ方式のキーボードである場合、Ｙ軸負方向からＹ軸正方向に、「Ｚ」を示した入力キー、「Ａ」を示した入力キー、「Ｑ」を示した入力キーが、当該順に配されている。
【００３２】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００３３】
＜２．ハードウェア構成について＞
次に、図２を参照して、電子機器１００の具体的構成の一態様について説明する。図２は、電子機器１００のハードウェア構成を表わすブロック図である。
【００３４】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３５】
第１の筐体１００Ａは、表示装置１０２を含む。第２の筐体１００Ｂは、本体装置１０１を含む。また、第２の筐体１００Ｂは、第２ユニット１００２を含む。
【００３６】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３７】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３８】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３９】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００４０】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００４１】
電源検出部１９３は、電源回路１９２からの出力を検出する。また、電源検出部１９３は、当該検出した出力に関する情報（たとえば、電圧値や電流値）を、ＣＰＵ１１０に送る。
【００４２】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００４３】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４４】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４５】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４６】
ドライバ１３０は、液晶パネル１４０およびバックライト１７９を駆動するための駆動回路である。ドライバ１３０に含まれる各種の駆動回路については、後述する。
【００４７】
液晶パネル１４０は、液晶ディスプレイの機能と光センサの機能とを備えたデバイスである。つまり、液晶パネル１４０は、液晶を用いた画像の表示と、光センサを用いたセンシングとを行なうことができる。液晶パネル１４０の詳細については、後述する。
【００４８】
内部ＩＦ（Interface）１７８は、本体装置１０１と表示装置１０２との間で、データの遣り取りを仲介する。
【００４９】
バックライト１７９は、液晶パネル１４０の裏面に配置された光源である。バックライト１７９は、当該裏面に対して均一な光を照射する。
【００５０】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００５１】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００５２】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行なう。そして、信号処理部１８３は、上記データ処理を行なった後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００５３】
上記コマンドは、上記光センサによりセンシングを指示するセンシングコマンドを含む。当該センシングコマンドの詳細および上記応答データの詳細については、後述する（図７，図８，および図１４）。
【００５４】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５５】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５６】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５７】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５８】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５９】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００６０】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００６１】
信号強度検出部２９７は、アンテナ２９５を介して受信した信号についての強度を検出する。そして、信号強度検出部２９７は、検出した強度を外部通信部２７４に送る。
【００６２】
ＵＳＢコネクタ２９４は、第２ユニット１００２を第１ユニット１００１に接続するために用いられる。
【００６３】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６４】
アンテナ２９５は、第２ユニット１００２と、たとえば第１ユニット１００１との間における、Ｂｌｕｅｔｏｏｔｈ（登録商標）の規格に沿った通信に用いられる。
【００６５】
電源検出部２９３は、ＵＳＢコネクタ２９４を介して給電された電力を検出する。また、電源検出部２９３は、当該検出した電力についての情報を、ＣＰＵ２１０に送る。
【００６６】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６７】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６８】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６９】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００７０】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００７１】
ここでいうプログラムとは、ＣＰＵにより直接実行可能なプログラムだけでなく、ソースプログラム形式のプログラム、圧縮処理されたプログラム、暗号化されたプログラム等を含む。
【００７２】
＜３．光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００７３】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７４】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７５】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７６】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７７】
なお、ここでは、いわゆる線順次方式と呼ばれる駆動方式を用いて説明したが、駆動方式はこれに限定されるものではない。
【００７８】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７９】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００８０】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００８１】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００８２】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００８３】
光センサ駆動回路１３３は、図２に示すドライバ制御部１８１から制御信号ＴＣ２を受ける。
【００８４】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８５】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８６】
なお、電圧ＶＤＤＲを印加するタイミング、および電圧ＶＤＤを印加するタイミングについては、後述する。
【００８７】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８８】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８９】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００９０】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００９１】
アンプ１３５は、各センサ信号線（ＳＳ１〜ＳＳｎ）から出力された電圧を増幅する。なお、増幅された電圧は、図２に示した信号処理部１８３に送られる。
【００９２】
なお、画素回路１４１を用いて画像を液晶パネル１４０に表示させるタイミングと、光センサ回路１４４を用いてセンシングするタイミングとについては、画像処理エンジン１８０が制御する。
【００９３】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９４】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９５】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９６】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９７】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９８】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９９】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【０１００】
なお、フォトダイオード１４５の位置は、上記の位置に限定されるものではなく、カラーフィルタ１５３ｒに対向する位置やカラーフィルタ１５３ｇに対向する位置に設けることも可能である。
【０１０１】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【０１０２】
以下では、光センサ回路１４４をリセットするためのリセット期間と、光センサ回路１４４を用いて光をセンシングするためのセンシング期間と、センシングした結果を読み出す読出期間とに分けて説明する。
【０１０３】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１０４】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０５】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０６】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０７】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０８】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０９】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１１０】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１１１】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１１２】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１１３】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１４】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１５】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１６】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１７】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１８】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行なった後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１９】
また、上記においては、ｍ×ｎ個の光センサ回路全てを用いてスキャンを行なう構成を例に挙げたが、これに限定されるものではない。予め選択された光センサ回路を用いて、液晶パネル１４０の表面の一部の領域に関してスキャンを行なうことも構成としてもよい。
【０１２０】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行なう場合、画像処理エンジン１８０が、スキャン対象領域の設定を行なう。なお、当該領域の設定を、操作キー１７７を介してユーザが指定できる構成としてもよい。
【０１２１】
このように、液晶パネル１４０の表面の一部の領域に関してスキャンを行なう場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１２２】
図６は、液晶パネル１４０とバックライト１７９との断面図であって、スキャンの際にフォトダイオード１４５がバックライト１７９からの光を受光する構成を示した図である。
【０１２３】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２４】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光が、より遠方で反射した場合は、フォトダイオード１４５での受光量が、より少なくなる。このため、ユーザの指９００などが、液晶パネル１４０に接触していない場合あるいは接近していない場合には、受光量が極めて低くなるか、あるいは指９００で反射した光を受光できない。
【０１２５】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２６】
以上により、表示装置１０２は、指９００によって光が反射されることにより得られる像（以下、反射像とも称する）をスキャンすることができる。
【０１２７】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２８】
＜４．データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２９】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１３０】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１３１】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１３２】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１３３】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３４】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３５】
なお、上記座標値と上記部分画像または上記全体画像とを同時に要求する構成としてもよい。また、液晶パネル２４０の表面の一部の領域に関してスキャンを行なう構成の場合には、上記全体画像はスキャンが行われる領域に対応した画像となる。
【０１３６】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行なうことを指す。
【０１３７】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３８】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３９】
また、上記第１コマンドには、図８に示したデータ以外に、スキャンを行なう領域（光センサ回路１４４を駆動する画素の領域）の指定、スキャンを行なうタイミング、バックライト１７９の点灯のタイミングなどが記述されている。
【０１４０】
なお、画像処理エンジン２８０は、第１コマンドの内容を解析し、当該解析の結果に従ったデータ（つまり、応答データ）を本体装置１０１に送り返す。
【０１４１】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１４２】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１４３】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４４】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行なう。
【０１４５】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４６】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行なう。
【０１４７】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４８】
ＣＰＵ１１０，２１０は、ヘッダＤＡ０１に、コマンドの種別（「００１」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４９】
第１フィールドＤＡ０２に「０１」または「１０」が設定された第３コマンドは、第２ユニット１００２から第１ユニット１００１に送信される。
【０１５０】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１５１】
第２フィールドＤＡ０３に「０００」、「００１」、または「０１０」が設定された第３コマンドは、第２ユニット１００２から第１ユニット１００１に送信される。
【０１５２】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１５３】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５４】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５５】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５６】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５７】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５８】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５９】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１６０】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１６１】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１６２】
第２フィールドＤＡ０３に「０００」が設定された第６コマンドは、通信の接続先を指定する情報を有していないことを示す。
【０１６３】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６４】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６５】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６６】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６７】
第３フィールドＤＡ０４に「０００」が設定された第６コマンドは、データ（たとえば、ファイル）の転送先を指定する情報を有していないことを示す。
【０１６８】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６９】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１７０】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１７１】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１７２】
第４フィールドＤＡ０５に「００」、「０１」、「１０」、または「１１」が設定された第６コマンドは、第１ユニット１００１によって、第２ユニット１００２に送信される。
【０１７３】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７４】
図１４は、応答データの概略構成を示した図である。応答データは、第１コマンド（センシングコマンド）の内容に応じたデータである。
【０１７５】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７６】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７７】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７８】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７９】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行なうことにより決定される。つまり、中心座標は、部分画像の図心とは必ずしも一致しない。
【０１８０】
ただし、必ずしも中心座標の位置は上記に限定されるものではなく、中心座標を上記図心の座標あるいは図心の近傍の座標としてもよい。
【０１８１】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１８２】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１８３】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８４】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８５】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８６】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８７】
＜５．構成の第１の変形例について＞
ところで、液晶パネル１４０の構成は、図３に示した構成に限定されるものではない。以下では、図３とは異なる態様の液晶パネルについて説明する。
【０１８８】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８９】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１９０】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１９１】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１９２】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１９３】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９４】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９５】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９６】
以上述べたように、電子機器１００が液晶パネル１４０Ａを備えた構成とすることにより、スキャン対象物をカラーでスキャンできることになる。
【０１９７】
次に、図１７を参照して、前述のスキャンの方法（つまり、図６における反射像をスキャンする方法）とは異なるスキャンの方法について説明する。
【０１９８】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９９】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０２００】
以上により、表示装置１０２は、指９００によって外光が遮られることにより得られる像（以下、影像とも称する）をスキャンすることができる。
【０２０１】
さらに、表示装置１０２を、バックライト１７９を点灯させてスキャンを行なった後に、バックライト１７９を消灯させて再度スキャンを行なう構成としてもよい。あるいは、表示装置１０２を、バックライト１７９を消灯させてスキャンを行なった後に、バックライト１７９を点灯させて再度スキャンを行なう構成としてもよい。
【０２０２】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２０３】
＜６．表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受付けた場合、表示装置１０３は表示装置１０２と同様の動作を行なう。このため、表示装置１０３の構成や動作についての説明は繰り返さない。
【０２０４】
なお、本体装置１０１は、表示装置１０２と表示装置１０３とに対して、命令が異なるコマンドを送ることができる。この場合、表示装置１０２と表示装置１０３とは別々の動作を行なう。また、本体装置１０１は、表示装置１０２および表示装置１０３のいずれかに対して、コマンドを送ってもよい。この場合、一方の表示装置のみがコマンドに応じた動作を行なう。また、本体装置１０１が、表示装置１０２と表示装置１０３とに命令が同じコマンドを送ってもよい。この場合、表示装置１０２と表示装置１０３とは、同じ動作を行なう。
【０２０５】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０６】
＜７．構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０７】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０８】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０９】
また、第１ユニット１００１は、光センサを内蔵した液晶パネル１４０の代わりに、たとえば抵抗膜方式や静電容量方式のタッチパネルを備えてもよい。
【０２１０】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２１１】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２１２】
本実施の形態に係る電子機器１００は、上記のように構成されているため、第２ユニット１００２が、ＵＳＢコネクタ１９４，２９４を介して第１ユニット１００１に着脱自在になっている。
【０２１３】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１４】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１５】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１６】
また、たとえば、第２ユニット１００２は、アンテナ２９５を介して外部の携帯電話などとの間でデータの送受信を行なう。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１７】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１８】
ところで、上記においては、スキャンの一方法として、バックライト１７９を用いてスキャンを行なう場合について説明した。しかしながら、スキャンの方法としては、さらに以下の方法が挙げられる。まず、赤外線を照射する光源を、液晶パネル１４０，２４０に内蔵しておく。たとえば、電子機器１００を、１つの画素に対応付けて、１つの光源を備える構成とする。そして、電子機器１００が、当該赤外線の照射のオン・オフを制御することにより、スキャンを行なう。つまり、電子機器１００は、バックライト１７９から光（たとえば白色光）を照射する代わりに、赤外線を照射することにより、バックライト１７９からの光を用いたスキャンと同様の制御を行なう。このような方法によっても、バックライト１７９を用いた場合と同様な効果を得ることができる。
【０２１９】
＜８．電子機器１００のハードウェア構成＞
電子機器１００における処理は、各ハードウェアおよびＣＰＵ１１０，２１０により実行されるソフトウェアによって実現される。このようなソフトウェアは、ＲＡＭ１７１あるいはハードディスク（図示せず）に予め記憶されている場合がある。また、ソフトウェアは、メモリカード１７３１あるいはＤＶＤ−ＲＯＭ（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、メモリカードリーダライタ１７３などの読取装置によりその記憶媒体から読み取られて、あるいは、通信ＩＦ８１８０を介してダウンロードされた後、ＲＡＭ１７１やハードディスクに一旦格納される。そのソフトウェアは、ＣＰＵ１１０によってＲＡＭ１７１やハードディスクから読み出される。ＣＰＵ１１０は、そのプログラムを実行する。
【０２２０】
電子機器１００の本体装置１０１，１０４を構成する各構成要素は、一般的なものである。したがって、本発明の本質的な部分は、ＲＡＭ１７１あるいはハードディスク、メモリカード１７３１その他の記憶媒体に格納されたソフトウェア、あるいはネットワークを介してダウンロード可能なソフトウェアであるともいえる。
【０２２１】
なお、記録媒体としては、メモリカード、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【０２２２】
ここでいうプログラムとは、ＣＰＵにより直接実行可能なプログラムだけでなく、ソースプログラム形式のプログラム、圧縮処理されたプログラム、暗号化されたプログラム等を含む。
【０２２３】
＜＜第１の具体的な実現例（２画面）＞＞
以下では、説明の便宜上、電子機器１３００（図１８参照）を用いた場合を例に挙げて、具体的な実現例を説明する。なお、電子機器１００を用いた場合も電子機器１３００を用いた場合と同様であるため、説明は繰り返さない。
【０２２４】
＜１．電子機器１３００の動作概要＞
電子機器１３００の動作概要について、図１９から２３を参照して説明する。電子機器１３００は、液晶パネル２４０の表示画面に物体が接触したことを検出した場合、電子機器１３００の動作モードを、当該物体の接触角度に応じた動作モードに設定する。以下では、上記物体が、ユーザの指である場合を例に挙げて説明する。なお、上記物体は、指に限定されるものではなく、たとえばスタイラスペンや筆記具であってもよい。
【０２２５】
図１９は、液晶パネル２４０に対してユーザの指９００を寝かした状態で、当該指９００を当該液晶パネル２４０の表示画面に接触させた場合を示した図である。図１９（ａ）は、ユーザの指９００を寝かした状態で接触させた場合の斜視図である。図１９（ｂ）は、図１９（ａ）のＸＩＸ−ＸＩＸ線矢視断面図である。図１９（ｃ）は、指９００を寝かした状態で得られるスキャン画像を示した図である。
【０２２６】
電子機器１３００は、図１９の状態で指９００が液晶パネル２４０の表示画面に接触したことを検知した場合、電子機器１３００の動作モードを、指９００の接触をポインタ操作として処理する動作モードに設定する。なお、「ポインタ操作」とは、マウスカーソルを動かす操作をいう。より詳しくは、電子機器１３００は、図１９の状態で指９００が液晶パネル２４０の表示画面に接触したことを検知した場合、連続して座標入力を受け付けるとともに、当該入力に従ってマウスカーソルの表示位置を変更する。
【０２２７】
図２０は、液晶パネル２４０に対してユーザの指９００を立てた状態で、当該指９００を当該液晶パネル２４０の表示画面に接触させた場合を示した図である。図２０（ａ）は、ユーザの指９００を立てた状態で接触させた場合の斜視図である。図２０（ｂ）は、図２０（ａ）のＸＸ−ＸＸ線矢視断面図である。図２０（ｃ）は、指９００を立てた状態で得られるスキャン画像を示した図である。
【０２２８】
電子機器１３００は、図２０の状態で指９００が液晶パネル２４０の表示画面に接触したことを検知した場合、電子機器１３００の動作モードを、指９００の接触をタッチ操作として処理する動作モードに設定する。なお、「タッチ操作」とは、たとえば、画面に表示されているオブジェクト（たとえばボタン）を選択する操作をいう。
【０２２９】
より詳しくは、電子機器１３００は、図２０の状態で指９００が液晶パネル２４０の表示画面に接触したことを検知した場合、電子機器１３００は、指９００が接触した領域に対応付けられた画像を特定するとともに、当該画像が示す処理を実行する。たとえば、電子機器１３００は、文書作成プログラムで作成されたファイルの上書き保存を示すアイコン（画像）に図２０の状態で指９００が接触した場合、当該ファイルの上書き保存を実行する。
【０２３０】
このように、電子機器１３００は、液晶パネル２４０の表示画面に対する指９００の接触角度に応じて、電子機器１３００の動作モードを、当該接触をポインタ操作として処理する動作モードおよびタッチ操作として処理する動作モードのうちのいずれかの動作モードに設定する。つまり、電子機器１３００は、電子機器１３００の動作モードを、指９００の接触角度に応じた動作モードに設定する。
【０２３１】
図２１は、図１９の状態で指９００が液晶パネル２４０の表示画面に接触した場合における「ポインタ操作」を具体的に示した図である。図２１（ａ）は、指９００の移動を示した図である。図２１（ｂ）は、マウスカーソルの移動を説明するための図である。
【０２３２】
図２１（ａ）を参照して、ユーザが、予め定められた第１の範囲内の接触角度（以下、「接触角度θ１」と称する）で矢印２１０１に示すように、指９００を液晶パネル２４０の表示画面上で移動させたとする。ここで、「接触角度」とは、指９００が液晶パネル２４０の表示画面に接触した状態における当該表示画面の法線と指９００とのなす角度をいう。また、「第１の範囲」とは、たとえば、４５度以上９０度以下である。なお、「接触角度」を、指９００が液晶パネル２４０の表示画面に接触した状態における当該表示画面と指９００とのなす角度と定義してもよい。
【０２３３】
ここで、ユーザが、上述したように指９００を矢印２１０１に示すように移動させた場合、電子機器１３００は、図２１（ｂ）に示すとおり、表示装置１０２Ａの表示画面に表示していたマウスカーソル２１０３を、当該移動に基づき矢印２１０２の方向に移動する。
【０２３４】
図２２は、図２０の状態で指９００が液晶パネル２４０の表示画面に接触した場合における「タッチ操作」を具体的に示した図である。図２２（ａ）は、指９００の移動を示した図である。図２１（ｂ）は、タッチ操作に伴う処理を説明するための図である。
【０２３５】
図２２（ａ）を参照して、ユーザが、指９００を矢印２２０１の方向に移動させて、予め定められた第２の範囲内の接触角度（以下、「接触角度θ２」と称する）で液晶パネル２４０の表示画面に指９００を接触させたとする。「第２の範囲」とは、たとえば、０度以上４５未満である。
【０２３６】
ここで、ユーザが、当該接触角度θ２でボタンアイコン２２０２に指９００を接触させる動作を行なった場合、電子機器１３００は、図２２（ｂ）に示すとおり、ボタンアイコン２２０２の選択に伴った処理を実行する。
【０２３７】
図２３は、上記ポインタ操作と上記タッチ操作とを、１つの図において説明した図である。図２３を参照して、ユーザが、液晶パネル２４０の表示画面上において、接触角度θ１で指９００を矢印２３０１の方向に移動させた場合、電子機器１３００は、表示装置１０２Ａに表示させているマウスカーソル２３０３を、矢印２３０２の方向に移動させる。
【０２３８】
一方、ユーザが、接触角度θ２で指９００を液晶パネル２４０の表示画面に接触させた場合、電子機器１３００は、液晶パネル２４０に表示されている画像の選択に伴う処理を行なう。たとえば、電子機器１３００は、液晶パネル２４０にウェブサイトを表示している場合、選択された画像がリンク先画像を特定する画像である場合には、表示している画像を当該リンク先の画像に切り換える。
【０２３９】
以上の構成により、ユーザは、液晶パネル２４０を用いることにより、当該液晶パネル２４０を介した入力を、ポインタ操作とするのか、あるいはタッチ操作とするのかを即座に切り換えることができる。このように、電子機器１３００は、ユーザにとって直感的な操作を実現可能となる。
【０２４０】
また、ユーザは、操作の切り換えの際などにおいて、メイン画面である、表示装置１０２Ａの表示画面に指９００を接触させる必要もない。さらに、電子機器１３００を用いることにより、ユーザは、電子機器１３００が載置された机の作業面と平行な面において、作業を行なうことができる。したがって、電子機器１３００は、ユーザにとって使い勝手がよい。
【０２４１】
なお、上記においては、ポインタ操作とタッチ操作との例を挙げて説明したが、当該操作に限定されるものではない。また、上記においては、電子機器１３００は、液晶パネル２４０の表示画面に対する指９００の接触角度に応じて動作モードを設定する構成であるとして説明した。しかしながら、電子機器１３００は、必ずしも接触角度を用いる必要はない。以下では、まず、電子機器１３００が接触角度を用いる構成について、より詳しく説明する。次いで、電子機器１３００が接触角度を用いる構成について説明する。
【０２４２】
＜２．機能ブロック＞
図２４は、電子機器１３００のブロックを示した図である。図２４を参照して、電子機器１３００は、表示装置１０２Ａと、表示装置１０３と、記憶装置３９０と、制御部３００とを備えている。記憶装置３９０は、たとえば、ＲＡＭ１７１、ＲＯＭ１７２、ＲＡＭ２７１、ＲＯＭ２７２である。制御部３００は、データ取得部３１０と、領域検出部３１１と、距離算出部３１２と、角度検出部３１３と、設定部３１４と、方向判断部３１５と、光量判断部３１６と、本数測定部３１７と、本数判断部３１８と、入力処理部３１９と、表示制御部３２０とを備えている。
【０２４３】
表示装置１０３は、上述したように、液晶パネル２４０を含む。つまり、表示装置１０３は、液晶パネル２４０の表示画面上の指９００を、当該表示画面を介してスキャンする。
【０２４４】
データ取得部３１０は、表示装置１０３に対して上記スキャンの実行を指示する。また、データ取得部３１０は、表示装置１０３から、上記スキャンにより得られスキャンデータを取得する。
【０２４５】
ここで、上記スキャンデータのうち指９００の形状を示すデータを「形状データ」とする。当該形状データは、液晶パネル２４０の表示画面における指９００が接触している接触領域の形状を示した第１要素データと、当該接触領域の近傍領域の形状を示した第２要素データとを含んでいる。以下では、接触領域と近傍領域とを合わせた領域を「検出領域」とする。なお、接触領域、近傍領域、および検出領域の具体例については、後述する（図３０等）。
【０２４６】
領域検出部３１１は、上記形状データに基づいて、上記検出領域と上記接触領域とを検出する。距離算出部３１２は、上記接触領域の中心点と、上記検出領域のうち当該中心点から最も離れた点との距離を算出する。
【０２４７】
角度検出部３１３は、上記形状データに基づいて接触角度を検出する。より詳しくは、角度検出部３１３は、少なくとも、上記検出領域を示したデータと上記接触領域を示した上記第１要素データとに基づいて、接触角度を検出する。さらに詳しくは、角度検出部３１３は、上記検出領域を示したデータと上記接触領域を示した上記第１要素データとに基づくデータである上記算出された距離と、後述する第１閾値（δpn）および第２閾値（ｐ（ｘpk）− δppk）（図３４参照）とに基づいて接触角度を検出する。角度検出部３１３の具体的な接触角度の検出方法については、後述する。
【０２４８】
設定部３１４は、上記スキャンデータのうち指９００の形状を示す上記形状データに基づいて、電子機器１３００の動作モードを、複数の動作モードのうちのいずれかの動作モードに設定する。設定部３１４は、たとえば、電子機器１３００の動作モードを、液晶パネル２４０の表示画面への接触を「ポインタ操作」として受け付ける動作モード、あるいは当該接触を「タッチ操作」として受け付ける動作モードに設定する。より詳しくは、設定部３１４は、角度検出部３１３によって検出された接触角度に基づいて、電子機器１３００の動作モードを設定する。
【０２４９】
表示制御部３２０は、表示装置１０２Ａおよび表示装置１０３に、各種の画像を表示さる。たとえば、表示制御部３２０は、ウェブサイトを表示装置１０２Ａ、１０３に表示させる。
【０２５０】
方向判断部３１５については、後述する「＜６．指の方向＞」の箇所で説明する。光量判断部３１６と本数測定部３１７と本数判断部３１８とについては、後述する「＜７．スキャン方式の選択＞」の箇所で説明する。入力処理部３１９については、後述する「＜９．文字入力＞」の箇所で説明する。
【０２５１】
＜３．制御構造＞
（１）電子機器１３００の制御構造について説明する。図２５は、電子機器１３００で実行される処理の流れを示したフローチャートである。
【０２５２】
図２５を参照して、電子機器１３００は、ステップＳ２において、指９００が液晶パネル２４０の表示画面に接触したか否かを検出する。電子機器１３００は、指９００が表示画面に接触したと判断した場合（ステップＳ２においてＹＥＳ）、ステップＳ４において、当該表示画面に対する指９００の接触角度が予め定められた閾値θth以上であるか否かを判断する。
【０２５３】
閾値θthは、たとえば、上述した第１の範囲と第２の範囲とを区分する値である。上述した例では、閾値θthは、４５度である。一方、電子機器１３００は、指９００が表示画面に接触していないと判断した場合（ステップＳ２においてＮＯ）、処理をステップＳ２に戻す。
【０２５４】
電子機器１３００は、指９００の接触角度θが閾値θth以上である場合（ステップＳ４においてＹＥＳ）、ステップＳ６において、電子機器１３００の動作モードを、指９００の接触をポインタ操作として処理する動作モードに設定する。つまり、電子機器１３００は、ポインタ操作を実行する。一方、電子機器１３００は、指９００の接触角度θが閾値θth未満である場合（ステップＳ４においてＮＯ）、ステップＳ８において、電子機器１３００の動作モードを、指９００の接触をタッチ操作として処理する動作モードに設定する。つまり、電子機器１３００は、タッチ操作を実行する。
【０２５５】
このように、電子機器１３００は、接触角度θを検出し、検出結果に応じた処理を実行する。
【０２５６】
図２６は、接触角度に関する閾値を３つ設けた場合における、電子機器１３００の処理の流れを示したフローチャートである。図２６を参照して、電子機器１３００は、ステップＳ１２において、指９００が液晶パネル２４０の表示画面に接触したか否かを検出する。電子機器１３００は、指９００が表示画面に接触したと判断した場合（ステップＳ１２においてＹＥＳ）、ステップＳ１４において、当該表示画面に対する指９００の接触角度θが予め定められた閾値α以上であるか否かを判断する。一方、電子機器１３００は、指９００が表示画面に接触していないと判断した場合（ステップＳ２においてＮＯ）、処理をステップＳ１２に戻す。
【０２５７】
電子機器１３００は、指９００の接触角度θが閾値α以上である場合（ステップＳ１４においてＹＥＳ）、ステップＳ１６において、電子機器１３００の動作モードを操作Ａを実行する動作モードに設定する。一方、電子機器１３００は、指９００の接触角度θが閾値α未満である場合（ステップＳ１４においてＮＯ）、ステップＳ１８において、当該表示画面に対する指９００の接触角度θが予め定められた閾値β以上であるか否かを判断する。なお、β＜αである。
【０２５８】
電子機器１３００は、指９００の接触角度θが閾値β以上である場合（ステップＳ１８においてＹＥＳ）、ステップＳ２０において、電子機器１３００の動作モードを操作Ｂを実行する動作モードに設定する。一方、電子機器１３００は、指９００の接触角度θが閾値β未満である場合（ステップＳ１８においてＮＯ）、ステップＳ２２において、当該表示画面に対する指９００の接触角度θが予め定められた閾値γ以上であるか否かを判断する。なお、γ＜βである。
【０２５９】
電子機器１３００は、指９００の接触角度θが閾値γ以上である場合（ステップＳ２２においてＹＥＳ）、ステップＳ２４において、電子機器１３００の動作モードを、操作Ｃを実行する動作モードに設定する。一方、電子機器１３００は、指９００の接触角度θが閾値γ未満である場合（ステップＳ２２においてＮＯ）、ステップＳ２６において、電子機器１３００の動作モードを、操作Ｄを実行する動作モードに設定する。
【０２６０】
このように、電子機器１３００は、接触角度に関する閾値を２つ以上設定しておくことにより、指９００の接触を３つ以上の異なる操作として処理することも可能である。
【０２６１】
（２）図２７は、電子機器１３００で実行される処理の流れを図２６よりも詳しく示したフローチャートである。図２７を参照して、電子機器１３００は、ステップＳ１０２において、指９００が液晶パネル２４０の表示画面に接触したか否かを検出する。電子機器１３００は、指９００が表示画面に接触したと判断した場合（ステップＳ１０２においてＹＥＳ）、ステップＳ１０４において、当該表示画面に対する指９００の接触角度が予め定められた閾値θth以上であるか否かを判断する。
【０２６２】
電子機器１３００は、指９００の接触角度θが閾値θth以上である場合（ステップＳ１０４においてＹＥＳ）、ステップＳ１０６においてポインタ操作を実行する。一方、電子機器１３００は、指９００の接触角度θが閾値θth未満である場合（ステップＳ１０４においてＮＯ）、ステップＳ１１２においてタッチ操作を実行する。ここでは、閾値θthをステップＳ１０４、Ｓ１１０、Ｓ１１６において共通な値としているが、たとえば、ステップＳ１０４では４５度、ステップＳ１１０では、より小さな３０度、ステップＳ１１６では、より大きな６０度といったように、別々の閾値θthを用いてもよい。このように別々の閾値θthを用いることにより、電子機器１３００は、「一旦、操作モードが確定すると、より大きな変化が行なわなければ異なる操作モードに移行できなくする」といったことが可能となる。なお、上述した処理については、図２５に基づいて述べた処理と同じである。
【０２６３】
電子機器１３００は、ステップＳ１０８において、指９００が液晶パネル２４０の表示画面から離れたか否かを検出する。電子機器１３００は、指９００が表示画面から離れたと判断した場合（ステップＳ１０８においてＹＥＳ）、処理をステップＳ１０２に戻す。一方、電子機器１３００は、指９００が表示画面から離れていないと判断した場合（ステップＳ１０８においてＮＯ）、ステップＳ１１０において、当該表示画面に対する指９００の接触角度が予め定められた閾値θth以上であるか否かを判断する。
【０２６４】
電子機器１３００は、指９００の接触角度θが閾値θth以上である場合（ステップＳ１１０においてＹＥＳ）、処理をステップＳ１０６に戻す。一方、電子機器１３００は、指９００の接触角度θが閾値θth未満である場合（ステップＳ１１０においてＮＯ）、処理をステップＳ１１２に進める。
【０２６５】
電子機器１３００は、ステップＳ１１４において、指９００が液晶パネル２４０の表示画面から離れたか否かを検出する。電子機器１３００は、指９００が表示画面から離れたと判断した場合（ステップＳ１１４においてＹＥＳ）、処理をステップＳ１０２に戻す。一方、電子機器１３００は、指９００が表示画面から離れていないと判断した場合（ステップＳ１１４においてＮＯ）、ステップＳ１１６において、当該表示画面に対する指９００の接触角度が予め定められた閾値θth以上であるか否かを判断する。
【０２６６】
電子機器１３００は、指９００の接触角度θが閾値θth以上である場合（ステップＳ１１６においてＹＥＳ）、処理をステップＳ１０６に進める。一方、電子機器１３００は、指９００の接触角度θが閾値θth未満である場合（ステップＳ１１６においてＮＯ）、処理をステップＳ１１２に戻す。
【０２６７】
（３）図２８は、電子機器１３００で実行される処理の流れを図２７よりも詳しく示したフローチャートである。図２８は、図２７よりも実用的な処理の流れを示したフローチャートである。
【０２６８】
図２８を参照して、電子機器１３００は、ステップＳ２０２において、指９００が液晶パネル２４０の表示画面に接触したか否かを検出する。電子機器１３００は、指９００が表示画面に接触したと判断した場合（ステップＳ２０２においてＹＥＳ）、ステップＳ２０４において、タイマ２８２をリセット（ｔ＝０）し、当該タイマ２８２を用いて時間の測定を開始する。電子機器１３００は、ステップＳ２０６において、当該表示画面に対する指９００の接触角度が予め定められた閾値θth以上であるか否かを判断する。
【０２６９】
電子機器１３００は、指９００の接触角度θが閾値θth以上である場合（ステップＳ２０６においてＹＥＳ）、ステップＳ２０８においてポインタ操作を実行する。詳しくは、電子機器１３００の制御部３００は、ポインタを指９００の移動量および移動方向に応じて移動させる。一方、電子機器１３００は、指９００の接触角度θが閾値θth未満である場合（ステップＳ２０６においてＮＯ）、ステップＳ２１８においてタッチ操作を実行する。詳しくは、表示装置１０３は、指９００が接触した座標を制御部３００に対して出力するが、当該時点においては、制御部３００は、タッチ操作を確定させることない。
【０２７０】
電子機器１３００は、ステップＳ２１０において、指９００が液晶パネル２４０の表示画面から離れたか否かを検出する。電子機器１３００は、指９００が表示画面から離れたと判断した場合（ステップＳ２１０においてＹＥＳ）、ステップＳ２１４において、計測時間ｔが予め定められた閾値Ｔth以上であるか否かを判断する。
【０２７１】
電子機器１３００は、計測時間ｔが予め定められた閾値Ｔth以上であると判断した場合（ステップＳ２１４においてＹｅｓ）、処理をステップＳ２０２に戻す。一方、電子機器１３００は、計測時間ｔが予め定められた閾値Ｔth未満であると判断した場合（ステップＳ２１４においてＮｏ）、ステップＳ２１６において、ポインタ確定処理を行なう。ポインタ確定処理とは、ここでは、クリック操作を受け付けた際に実行される処理である。つまり、電子機器１３００は、電子機器１３００の動作モードを、指９００の接触をクリック操作として処理する動作モードに設定する。
【０２７２】
電子機器１３００は、指９００が表示画面から離れていないと判断した場合（ステップＳ２１０においてＮＯ）、ステップＳ２１２において、当該表示画面に対する指９００の接触角度が予め定められた閾値θth以上であるか否かを判断する。電子機器１３００は、指９００の接触角度θが閾値θth以上である場合（ステップＳ２１２においてＹＥＳ）、処理をステップＳ２０８に戻す。一方、電子機器１３００は、指９００の接触角度θが閾値θth未満である場合（ステップＳ２１２においてＮＯ）、処理をステップＳ２１８に進める。
【０２７３】
電子機器１３００は、ステップＳ２２０において、指９００が液晶パネル２４０の表示画面から離れたか否かを検出する。電子機器１３００は、指９００が表示画面から離れたと判断した場合（ステップＳ２２０においてＹＥＳ）、ステップＳ２２４において、計測時間ｔが予め定められた閾値Ｔth以上であるか否かを判断する。
【０２７４】
電子機器１３００は、計測時間ｔが予め定められた閾値Ｔth以上であると判断した場合（ステップＳ２２４においてＹｅｓ）、処理をステップＳ２０２に戻す。一方、電子機器１３００は、計測時間ｔが予め定められた閾値Ｔth未満であると判断した場合（ステップＳ２２４においてＮｏ）、ステップＳ２２６において、タッチ確定処理を行なう。タッチ確定処理とは、ここでは、電子機器１３００のオペレーシングシステムやアプリケーションソフトに対する座標値の出力処理である。たとえば、当該座標に対応する位置にアイコンが表示されている場合、タッチ確定処理は、クリック操作を受け付けた際に実行される処理と同じとなる。
【０２７５】
電子機器１３００は、指９００が表示画面から離れていないと判断した場合（ステップＳ２２０においてＮＯ）、ステップＳ２２２において、当該表示画面に対する指９００の接触角度が予め定められた閾値θth以上であるか否かを判断する。電子機器１３００は、指９００の接触角度θが閾値θth以上である場合（ステップＳ２２２においてＹＥＳ）、処理をステップＳ２０８に進める。一方、電子機器１３００は、指９００の接触角度θが閾値θth未満である場合（ステップＳ２２２においてＮＯ）、処理をステップＳ２１８に戻す。
【０２７６】
＜４．経過時間に応じた処理＞
図２９は、図２８のフローチャートで示した処理の一部を説明するための図である。図２９（ａ）は、接触角度θが閾値θth以上である場合を説明するための図である。図２９（ｂ）は、接触角度θが閾値θth未満である場合を説明するための図である。
【０２７７】
図２９（ａ）を参照して、状態Ａは、指９００が液晶パネル２４０の表示画面に接触していない状態を示している。つまり、当該状態Ａは、図２８において、ステップＳ２０２においてＮＯと判断された場合を示している。状態Ｂは、指９００が、閾値θth以上の接触角度θ１で表示画面と接触した状態を示している。つまり、当該状態Ｂは、図２８におけるステップＳ２０８の状態を示している。状態Ｃは、時間の測定を開始してから上記閾値Ｔth未満で指９００を表示画面から離した状態を示している。つまり、状態Ｃは、図２８のステップＳ２１４でＮＯと判断された状態を示している。
【０２７８】
当該状態Ｃに遷移すると、電子機器１３００は、上述したように、ユーザの操作をクリック操作と判断する。なお、時間の測定を開始してから上記閾値Ｔth以上経過した後にユーザが指９００を表示画面から離した場合には、電子機器１３００は、ユーザの操作をポインタ操作の中断と判断する。
【０２７９】
図２９（ｂ）を参照して、状態Ａは、指９００が液晶パネル２４０の表示画面に接触していない状態を示している。つまり、当該状態Ａは、図２８において、ステップＳ２０２においてＮＯと判断された場合を示している。状態Ｂは、指９００が、閾値θth未満の接触角度θ２で表示画面と接触した状態を示している。つまり、当該状態Ｂは、図２８におけるステップＳ２１８の状態を示している。状態Ｃは、時間の測定を開始してから上記閾値Ｔth未満で指９００を表示画面から離した状態を示している。つまり、状態Ｃは、図２８のステップＳ２２４でＮＯと判断された状態を示している。
【０２８０】
当該状態Ｃに遷移すると、電子機器１３００は、上述したように、ユーザの操作をタッチ操作（キータッチ操作）と判断する。なお、時間の測定を開始してから上記閾値Ｔth以上経過した後にユーザが指９００を表示画面から離した場合には、電子機器１３００は、ユーザの操作をタッチ操作の中断と判断する。
【０２８１】
以上のように、電子機器１３００は、液晶パネル２４０の表示画面に対する指９００の接触時には、接触角度θに応じて、ユーザの操作がポインタ操作かタッチ操作かを判断する。その後、電子機器１３００は、指９００が当該表示画面に非接触となるまでの時間を計測する。計測した時間が閾値Ｔth未満であれば、電子機器１３００は、ポインタ操作時にはユーザの操作がポインタ位置でのクリック操作であると判断し、タッチ操作時にはユーザの操作がキー（ボタン等）タッチ操作であると判断する。
【０２８２】
なお、上記の構成を適用すれば、ダブルクリック（２度押し＆離し）やタップ（２度押し／２度目は離さず）によるドラッグ操作（クリックボタンを押したままマウスを動かす操作）も実現できる。
【０２８３】
＜５．接触角度の検出方法＞
接触角度の具体的な検出方法について、３つのスキャン方式に基づき説明する。
【０２８４】
（１）内部光利用方式
図３０は、上述したように、液晶パネル２４０に内蔵された赤外線（内部光）を照射する光源を用いてスキャンを行った際に得られるスキャン画像（スキャンデータに基づく画像）を説明するための図である。図３０（ａ）は、指９００を液晶パネル２４０の表示画面に接触させた状態を示した図である。ここで、図３０（ａ）の液晶パネル２４０の図は、図３０（ｂ）のＸＸＸ−ＸＸＸ線矢視断面図である。図３０（ｂ）は、図３０（ａ）の状態で指９００が表示画面に接触したときに得られるスキャン画像の全体像を示した図である。
【０２８５】
図３０を参照して、指９００が液晶パネル２４０の表示画面に接触した場合、電子機器１３００の領域検出部３１１は、スキャンデータ（形状データ）に基づき、接触領域３００１と検出領域３００２とを検出する。領域検出部３１１は、接触領域３００１と検出領域３００２との差分領域である近傍領域も検出する。各領域の具体的な検出方法は、後述する（図３４）。
【０２８６】
なお、図３０（ａ）、（ｂ）において、白色の部分が接触領域３００１となる。また、指９００が表示画面から浮いている状態の箇所は、指９００と表示画面との距離に応じた色（白と黒との中間色（グレー））となる。その他の箇所については、黒色（均一）となる。なお、検出可能範囲３００３は、指９００により反射した上記赤外線に基づく電圧が一定値（検出下限値）以下とならない範囲である。「検出可能範囲」とは、言い換えれば、指９００で反射した赤外線を予め定められた光量以上検出できる範囲である。検出可能範囲３００３は、たとえば、０〜３ｃｍである。また、図３０（ｂ）では、説明の便宜上、矢視方向を液晶パネル２４０の表示画面の短手方向としている。
【０２８７】
図３１は、赤外線を用いてスキャンした場合であって、接触角度θ１で指９００を液晶パネル２４０の表示画面に接触させた場合における、上記接触領域と上記検出領域とを説明するための図である。
【０２８８】
図３１（ａ）は、接触角度θ１で指９００を液晶パネル２４０の表示画面に接触させた状態を示した図である。より詳しくは、図３１（ａ）は、図３０（ａ）における接触角度θをθ１とした図である。図３１（ｂ）は、図３１（ａ）の状態の際に得られる受光電圧を示した図である。すなわち、図３１（ｂ）は、指９００を赤外線を用いてスキャンした際に、表示装置１０３の液晶パネル２４０から出力される電圧を、液晶パネル２４０の表示画面上の位置と対応付けて示したグラフである。より詳しくは、図３１（ｂ）は、図３１（ａ）に対応する表示画面上の位置での電圧を示した図である。
【０２８９】
図３１を参照して、指９００の接触角度θ１は閾値θth以上であるため、接触領域３１０１および検出領域３１０２は、後述する図３２の場合に比べて広くなる。なお、電圧δｐｎは、検出下限値である。検出可能範囲３１０３は、検出された電圧が電圧δｐｎ以上となる範囲である。
【０２９０】
図３２は、赤外線を用いてスキャンした場合であって、接触角度θ２で指９００を液晶パネル２４０の表示画面に接触させた場合における、上記接触領域と上記検出領域とを説明するための図である。
【０２９１】
図３２（ａ）は、接触角度θ２で指９００を液晶パネル２４０の表示画面に接触させた状態を示した図である。より詳しくは、図３２（ａ）は、図３０（ａ）における接触角度θをθ２とした図である。図３２（ｂ）は、図３２（ａ）の状態の際に得られる受光電圧を示した図である。すなわち、図３２（ｂ）は、指９００を赤外線を用いてスキャンした際に、表示装置１０３の液晶パネル２４０から出力される電圧を、液晶パネル２４０の表示画面上の位置と対応付けて示したグラフである。より詳しくは、図３２（ｂ）は、図３２（ａ）の断面図に対応する表示画面上の位置での電圧を示した図である。
【０２９２】
図３２を参照して、指９００の接触角度θ２は閾値θth未満であるため、接触領域３２０１および検出領域３２０２は、それぞれ図３１の場合の接触領域３１０１および検出領域３１０２に比べて狭くなる。なお、検出可能範囲３２０３は、検出された電圧が電圧δｐｎ以上となる範囲である。つまり、検出可能範囲３２０３は、図３１の検出可能範囲３２０１と同じ範囲である。
【０２９３】
以上のことから、表示画面に対する指９００の接触角度θが小さくなるにつれ、接触領域および検出領域は狭くなる。電子機器１３００は、このような現象を利用して、接触角度を検出する。具体的な接触角度の検出方法を説明する前に、指９００の接触角度について、より詳しく説明する。
【０２９４】
図３３は、指９００の接触角度を説明するための図である。図３３を参照して、本来、指９００の接触角度は、指９００の重心線Ｌｇから求めるべきである。つまり、本来、指９００の接触角度は、厳密には、角度θではなく角度λである。しかしながら、赤外線は指９００の表面で反射するため、電子機器１３００は、重心線を検出することはできない。なお、「重心線」とは、指９００の伸びている方向に対して垂直な断面の重心を連ねた線である。
【０２９５】
そこで、角度λの代わりに図３３に示した角度τを用いることも考えられる。しかしながら、指９００の押圧（指圧）が高まると、接触領域３００１が拡大する。このため、角度τは、指９００の押圧に応じて変化してしまう。このため、角度τを用いることは難しい。
【０２９６】
以上により、電子機器１３００は、接触領域３００１の中心と、検出可能範囲３００３の最大値（検出下限値δｐｎに対応する距離）とを用いて接触角度（つまり、角度θ）を算出する。このような算出方法を採ることにより、指９００の指圧に依存することなく接触角度θを算出できるため、接触角度θの算出が容易となる。また、ユーザが指９００の傾きを変化させた場合、接触角度θの変化を精度良く検出することができる。
【０２９７】
図３４は、具体的な接触角度θの検出方法の一例を説明するための図である。また、図３４の電圧を示すグラフは、図３１（ｂ）の電圧を示すグラフと同じである。図３４を参照して、電子機器１３００は、接触角度θを、以下の式（２）を用いて算出する。
【０２９８】
θ ＝ arctan（（Ｘn_max − （Ｘp_max ＋ Ｘp_min） ／ 2） ／ （ｐ（Ｘpk） − δppk − δpn））  …  （２）
ここで、ｐ（Ｘpk）は、受光電圧ｐ（Ｘ）の最大値である。また、δppkは、予め定めれた値である。また、接触領域３４０１は、位置Ｘp_maxと位置Ｘp_minとの間の領域である。また、検出領域３４０２は、位置Ｘn_maxと位置Ｘn_minとの間の領域である。
【０２９９】
なお、受光電圧ｐ（ｘ）は、光センサの検出電圧ｖ（ｘ）から、キャリブレーション値ｃａｌを差し引いた値である。キャリブレーション値は、光センサ毎に異なる値であってもよい。
【０３００】
また、指がタッチパッドの周辺に近接している場合には、位置Ｘn_maxが光センサの配置された領域内に存在しない場合がありえる。このような場合には、電子機器１３００は、検出下限値の電圧δpnを高めたり、赤外線の照度を下げる処理を行なえばよい。
【０３０１】
なお、上記では、電圧ｐ（ｘ）をアナログ量として説明しているが、電圧ｐ（ｘ）として、アナログ量をＡＤ変換することによって得られる、量子化されたデジタル値を用いてもよい。また、２値化されている場合には、検出領域３４０２に対して微小な範囲内の密度であっても構わない。すなわち、図１５に示すように、スキャン画像が、白と黒との２値に変換されている場合、以下のように、処理を行なってもよい。
【０３０２】
電子機器１３００は、ある輝度を境界にして画像を白か黒かに変換する場合、たとえば、２５個（５個×５個）のピクセルの中に、どれだけ白のピクセルまたは黒のピクセルが存在するか（すなわち密度）によって、当該５×５の領域の輝度を測定することができる。電子機器１３００は、当該輝度を、上記５×５の領域における中心のピクセルの輝度として扱う。また、当該中心のピクセルに隣接するピクセルについても、当該中心のピクセルと同様の処理により輝度を求める。
【０３０３】
しかしながら、当該隣接するピクセルでは、２０個（４個×５個）のピクセルが、当該中心のピクセルと重複するため、得られる輝度は、画像がぼやける輝度となる。このため、上記輝度を求めるための領域を大きくすると、画像として十分な解像度が得られなくなる。それゆえ、上記輝度を求めるための領域を微小とする必要がある。また、上記輝度を求めるための領域が小さすぎると、輝度の分解度が低くなる。このため、上記輝度を求めるための領域は、適切なサイズにする必要がある。
【０３０４】
また、別の例として、電子機器１３００は、２値に変換する際に、受光電圧に応じる方法とすることもできる。電子機器１３００は、たとえば、２値に変換する際に、第２閾値（ｐ（xpk） − δppk）については、単純に閾値に応じて２値に変換し、第１閾値（δpn）については、境界をエッジ抽出して２値に変換する。電子機器１３００は、当該画像から、第２閾値について、中心点を求めたり、第１閾値について、位置Ｘn_maxを求めることができる。
【０３０５】
また、図３４においては、受光電圧を用いて接触角度θを検出する方法を説明したが、受光電圧の代わりに受光電力を用いて接触角度θを算出してもよい。また、式（２）において、ｐ（Ｘpk）、δppk、およびδpnの代わりに、それぞれ、ｐ（Ｘpk）の平方根、δppkの平方根、およびδpnの平方根を用いてもよい。
【０３０６】
あるいは、図７４に示すとおり、液晶パネル２４０の表示面（以下、「液晶面」と称する）にマイクロレンズアレー７４０を配置した立体表示液晶においては、液晶面に対して垂直な軸から例として±η度の入射角をもって光（情報）を検出する。この入射角±ηは、立体表示液晶の表示出力の際にマイクロレンズ７４１によって付与される視差角±ηに等しい。視差角±ηは、１つのマイクロレンズ７４１に対して、たとえば２つの液晶画素が配置されている。一方の画素が左目用の表示を行い、他方の画素が右目用の表示を行い、それぞれが目７４９に向かって異なる角度で表示出力を行なう。このような液晶画素とマイクロレンズ７４１が平面上に配列されて画面全体が立体的に表示される。なお、図７４は、立体表示装置における上記接触角度θの算出手法を説明するための図である。以下では、一例として、１つのマイクロレンズ７４１に、２つのフォトダイオード１４５が対応して配置され、立体表示のための視差角が±３度、合計６度の場合の構成について説明する。
【０３０７】
この場合、隣接する光センサーの一方は、軸に関して−３度の傾きを有しており、他方は軸に関して＋３度の傾きを有しているような状態と考えることができる。つまり、２つの光センサは、相対的に６度の傾きを持つ。より詳しく説明すると以下のとおりである。一方の光センサが、入射角３度でマイクロレンズ７４１に入射した光を検知するのに対し、他方の光センサは、入射角−３度で当該マイクロレンズ７４１に入射した光であって、一方の光センサと他方の光センサとが受光する光の入射角は、６度の相違がある。
【０３０８】
そして、−３度の傾きをもって検出された情報と、＋３度の傾きをもって検出された情報とを用いると、同じ指９００の点としてＸ軸上に２点が得られる。そこで、電子機器１３００は、液晶面から当該指９００の点までの距離ｐ（Ｘ）が得られた２点の距離の差に比例することを利用して、当該距離ｐ（Ｘ）を求めてもよい。
【０３０９】
具体的には、Ｘn_maxにおける指９００と液晶面との距離をｐ（Ｘn_max）とすると、Ｘn_max ＋ ｐ（Ｘn_max）×tan（η）の位置と、Xn_max ＋ ｐ（Xn_max）×tan（−η）の位置とに指９００の同じ点を検出することができる。電子機器１３００は、Ｘ軸上に同じ反射量の２点（上記２つの位置）を探し出す。当該２点を、それぞれをＸ１、Ｘ２とすると、距離ｐ（Ｘ）は、｛（｜Ｘ１−Ｘ２｜)／２｝／tan（η）となる。
【０３１０】
電子機器１３００は、Ｘn_maxにおける指９００と液晶面との距離だけではなく、各位置Ｘにおける指９００と液晶面との距離を求める。この場合、図３４の縦軸を電圧ｐ（ｘ）の代わりに距離ｐ（ｘ）として、検出される距離ｐ（ｘ）のグラフは、図３４とは特性が逆のグラフとなる。すなわち、接触領域の距離は、非接触領域や接触領域を除いた検出領域（つまり近傍領域）よりも短くなる。なお、検出領域は、距離ｐ（ｘ）が予め定められた閾値Ｄth1よりも短い領域となる。また、接触領域は、距離ｐ（ｘ）が閾値Ｄth2よりも短い領域となる（閾値Ｄth1＞閾値Ｄth2）。このようなグラフに基づけば、電子機器１３００は、図３４に説明したのと同様に上記接触角度θを求めることができる。
【０３１１】
このように、電子機器１３００は、２つの異なる入射角（η、−η）でマイクロレンズ７４１に入射した光を、それぞれ、隣接する光センサで検知する。電子機器１３００は、指９００の表面の領域（微小領域）と液晶面との距離を、当該領域毎に、当該領域に対応する液晶面上における２つの点同士の距離と、上記２つの入射角（η、−η）とから算出する。なお、入射角は、マイクロレンズ７４１の特性により予め決定される角度である。電子機器１３００は、上記距離の算出後、上記第１閾値に相当する閾値と、上記第２閾値に相当する閾値と、上記接触領域の中心点と上記検出領域のうち当該中心点から最も離れた点との距離とに基づき、上記接触角度θを算出する。
【０３１２】
また、指９００は、液晶パネル２４０の表示画面の長手方向あるいは短手方向と平行な状態で接触するとは限らない。このため、接触角度θを算出する場合、上記長手方向に対応する受光電圧ｐ（ｘ）と、上記短手方向に対応する受光電圧ｐ（ｘ）とをも用いて、接触角度θを算出してもよい。
【０３１３】
なお、上記の「＜２．機能ブロック＞」において述べたように、「δpn」が第１閾値であり、「ｐ（ｘpk）− δppk」が第２閾値である。また、距離算出部３１２が算出する距離Ｄｉは、以下の式（３）であらわされる。
【０３１４】
Ｄｉ ＝ Ｘn_max − （Ｘp_max − Ｘp_min）／２  …  （３）
（２）外部光（散乱光）利用方式
図３５は、散乱光である外部光（図１７参照）を用いてスキャンを行った際に得られるスキャン画像（スキャンデータに基づく画像）を説明するための図である。図３５（ａ）は、指９００を液晶パネル２４０の表示画面に接触させた状態を示した図である。ここで、図３５（ａ）の液晶パネル２４０の図は、図３５（ｂ）のＸＸＸＶ−ＸＸＸＶ線矢視断面図である。図３５（ｂ）は、図３５（ａ）の状態で指９００が表示画面に接触したときに得られるスキャン画像の全体像を示した図である。
【０３１５】
図３５を参照して、指９００が液晶パネル２４０の表示画面に接触した場合、電子機器１３００の領域検出部３１１は、スキャンデータ（形状データ）に基づき、接触領域３５０１と検出領域３５０２とを検出する。領域検出部３１１は、接触領域３５０１と検出領域３５０２との差分領域である近傍領域も検出する。
【０３１６】
なお、図３５（ａ）、（ｂ）において、黒色の部分が接触領域３５０１となる。また、指９００が表示画面から浮いている状態の箇所は、指９００と表示画面との距離に応じた色（白と黒との中間色（グレー））となる。その他の箇所については、白色となる。なお、検出可能範囲３５０３は、たとえば、０〜１ｃｍである。
【０３１７】
また、検出される電圧ｐ（ｘ）のグラフは、図３４とは特性が逆のグラフとなる。すなわち、接触領域の電圧は、非接触領域や接触領域を除いた検出領域（つまり近傍領域）よりも低くなる。この場合、検出領域は、電圧が予め定められた閾値よりも低い領域となる。また、接触領域は、電圧が当該予め定められた閾値よりも小さい閾値よりも低い領域となる。なお、後述する、外部光（直接）利用方式でも同様である。
【０３１８】
（３）外部光（直接）利用方式
図３６は、電子機器１３００Ａの外観を示した図である。図３６を参照して、電子機器１３００Ａは、電子機器１３００の構成に光源３６０１と光源３６０２とをさらに備えた構成である。電子機器１３００Ａは、光源３６０１、３６０２のオン・オフを制御する。
【０３１９】
光源３６０１および光源３６０２は、液晶パネル２４０の表示画面に対して、光を照射する。以下では、光源３６０１、３６０２から照射される光（直接光）を用いてスキャンを行なう方式について説明する。
【０３２０】
また、以下では、電子機器１３００は、図６および図３０に示したスキャン方式、および図１７および図３５に示したスキャン方式も実行可能な構成として説明する。なお、当該方式を用いる場合には、上述した散乱光は必ずしも必要ではない。
【０３２１】
図３７は、図３６の光源３６０１、３６０２からの光を用いてスキャンを行った際に得られるスキャン画像（スキャンデータに基づく画像）を説明するための図である。図３７（ａ）は、指９００を液晶パネル２４０の表示画面に接触させた状態を示した図である。ここで、図３７（ａ）の液晶パネル２４０の図は、図３７（ｂ）のＸＸＸＶＩＩ−ＸＸＸＶＩＩ線矢視断面図である。図３７（ｂ）は、図３７（ａ）の状態で指９００が表示画面に接触したときに得られるスキャン画像の全体像を示した図である。
【０３２２】
図３７を参照して、指９００が液晶パネル２４０の表示画面に接触した場合、電子機器１３００Ａの領域検出部３１１は、スキャンデータ（形状データ）に基づき、接触領域３７０１と検出領域３７０２とを検出する。領域検出部３１１は、接触領域３７０１と検出領域３７０２との差分領域である近傍領域も検出する。ここで、検出領域３７０２は、散乱光による指９００の影である。なお、検出可能範囲３７０３は、たとえば、０〜１ｃｍである。
【０３２３】
さらに、電子機器１３００Ａは、光源３６０１による指９００の影３７０４と、光源３６０２による指９００の影３７０５とを検出する。電子機器１３００Ａは、影３７０４および影３７０５の少なくとも１つを用いて、接触角度θを算出する。以下、接触角度θの算出方法について説明する。
【０３２４】
電子機器１３００Ａは、影３７０４と液晶パネル２４０の表示画面の長手方向の辺とがなす角度φ１を用いて、接触角度θを算出する。具体的には、電子機器１３００Ａは、以下の式（４）により接触角度θを算出する。
【０３２５】
θ ＝ （π − φ１）／２  …  （４）
また、以下のように接触角度を求めてもよい。電子機器１３００Ａは、影３７０４と影３７０５とがなす角度φ２を算出する。そして、電子機器１３００Ａは、以下の式（５）により接触角度θを算出する。
【０３２６】
θ ＝ （π − φ２）／２  …  （５）
このようなスキャン方式を用いることにより、電子機器１３００Ａは、散乱光を照射する光源がないとき、散乱光の照度が小さいときであっても、指９００の接触角度θを算出することが可能となる。
【０３２７】
＜６．指の方向＞
次に、電子機器１３００が方向判断部３１５を用いて処理を行なう構成について説明する（図２４参照）。以下では、液晶パネル２４０の表示画面における直交座標系の座標軸をＸ軸とＹ軸とする。また、説明の便宜上、Ｘ軸は、当該表示画面の長手方向の軸とし、Ｙ軸は、当該表示画面の短手方向の軸とする。なお、Ｘ軸を上記長手方向の軸とし、Ｙ軸を上記短手方向の軸としてもよい。さらに、指９００と当該表示画面とが接触している状態において、当該表示画面に向かって指９００が指している方向を「接触方向」とする。
【０３２８】
方向判断部３１５は、上述した形状データに基づいて、上記接触方向が、Ｘ軸の正方向の成分を有する第１方向およびＸ軸の負方向の成分を有する第２方向のいずれかの方向であるかを判断する。
【０３２９】
設定部３１４は、方向判断部３１５の判断結果に基づいて、電子機器１３００の動作モードを、複数の動作モードのうちのいずれかの動作モードに設定する。上記接触方向がＸ軸の正方向の成分を有する第１方向である場合、設定部３１４は、たとえば、電子機器１３００の動作モードを、上記接触をポインタ操作として処理する動作モードに設定する。一方、上記接触方向がＸ軸の負方向の成分を有する第２方向である場合、設定部３１４は、たとえば、電子機器１３００の動作モードを、上記接触をタッチ操作として処理する動作モードに設定する。
【０３３０】
図３８は、方向判断部３１５を用いた場合の、電子機器１３００の処理を説明するための図である。図３８（ａ）は、指９００を接触角度θ２で液晶パネル２４０の表示画面に接触させた場合と、指９０１を接触角度θ１で当該表示画面に接触させた状態を示した図である。図３８（ｂ）は、指９００を接触角度θ１で液晶パネル２４０の表示画面に接触させた場合と、指９０１を接触角度θ２で当該表示画面に接触させた状態を示した図である。
【０３３１】
図３８（ａ）を参照して、指９００を接触角度θ２で液晶パネル２４０の表示画面に接触させた場合には、指９００の接触方向がＸ軸の負方向の成分を有する第２方向であるため、電子機器１３００は、動作モードを、当該接触をタッチ操作として処理する動作モードに設定する。また、指９０１を接触角度θ１で液晶パネル２４０の表示画面に接触させた場合には、指９０１の接触方向がＸ軸の正方向の成分を有する第１方向であるため、電子機器１３００は、動作モードを、当該接触をポインタ操作として処理する動作モードに設定する。
【０３３２】
図３８（ｂ）を参照して、指９００を接触角度θ１で液晶パネル２４０の表示画面に接触させた場合には、指９００の接触方向がＸ軸の負方向の成分を有する第２方向であるため、電子機器１３００は、動作モードを、当該接触をタッチ操作として処理する動作モードに設定する。また、指９０１を接触角度θ２で液晶パネル２４０の表示画面に接触させた場合には、指９０１の接触方向がＸ軸の正方向の成分を有する第１方向であるため、電子機器１３００は、動作モードを、当該接触をポインタ操作として処理する動作モードに設定する。
【０３３３】
このように、方向判断部３１５を用いる場合には、接触角度θに関わらず、電子機器１３００は、指９００、９０１の接触方向に基づき、電子機器１３００の動作モードを設定する。
【０３３４】
また、ユーザは、たとえば、左手の指（図３８では指９０１）をポインタ操作に用い、右手の指（図３８では指９００）をタッチ操作に用いることができる。また、ユーザは、指９００と指９０１とを用いることにより、同時にポインタ操作とタッチ操作とを行なうことができる。
【０３３５】
ところで、上記においては、設定部３１４が、方向判断部３１５による判断結果に基づいて動作モードに設定する構成について説明した。しかしながら、設定部３１４の構成はこのような構成に限定されず、設定部３１４を以下のような構成としてもよい。すなわち、設定部３１４は、検出した接触角度θと方向判断部３１５の判断結果とに基づいて、電子機器１３００の動作モードを、複数の動作モードのうちのいずれかの動作モードに設定する。以下、具体例を挙げて説明する。
【０３３６】
図３９は、検出した接触角度θと方向判断部３１５による判断結果を用いた構成を説明するための図である。図３９（ａ）は、指９００を接触角度θ１で液晶パネル２４０の表示画面に接触させた場合と、指９０１を接触角度θ１で当該表示画面に接触させた状態を示した図である。図３９（ｂ）は、指９００を接触角度θ２で液晶パネル２４０の表示画面に接触させた場合と、指９０１を接触角度θ２で当該表示画面に接触させた状態を示した図である。
【０３３７】
図３９（ａ）を参照して、指９００の接触角度と指９０１の接触角度とがともにθ１（第１の範囲）であるにもかかわらず、指９００の接触方向と指９０１の接触方向とが異なるため、電子機器１３００は、指９００が接触している場合と指９０１が接触している場合とで異なる動作モードで動作する。
【０３３８】
たとえば、電子機器１３００は、指９００を接触角度θ１で表示画面に接触させた場合には、指９００の接触方向が上記第２方向であるため、電子機器１３００は、動作モードを、当該接触を表示装置１０２Ａ（メイン画面）におけるポインタ操作として処理する動作モードに設定する。一方、電子機器１３００は、指９０１を接触角度θ１で表示画面に接触させた場合には、指９０１の接触方向が上記第１方向であるため、電子機器１３００は、動作モードを、当該接触を表示装置１０３（サブ画面）におけるポインタ操作として処理する動作モードに設定する。
【０３３９】
次に、図３９（ｂ）を参照して、指９００の接触角度と指９０１の接触角度とがともにθ２（第２の範囲）であるにもかかわらず、指９００の接触方向と指９０１の接触方向とが異なるため、電子機器１３００は、指９００が接触している場合と指９０１が接触している場合とで異なる動作モードで動作する。
【０３４０】
たとえば、電子機器１３００は、指９００を接触角度θ２で表示画面に接触させた場合には、指９００の接触方向が上記第２方向であるため、電子機器１３００は、動作モードを、当該接触を表示装置１０２Ａ（メイン画面）におけるタッチ操作として処理する動作モードに設定する。一方、電子機器１３００は、指９０１を接触角度θ２で表示画面に接触させた場合には、指９０１の接触方向が上記第１方向であるため、電子機器１３００は、動作モードを、当該接触を表示装置１０３（サブ画面）におけるタッチ操作として処理する動作モードに設定する。
【０３４１】
以上のとおり、電子機器１３００は、指９００（右手の指）の接触角度θが閾値θth以上の場合、指９００の接触角度θが閾値θth未満の場合、指９０１（左手の指）の接触角度θが閾値θth以上の場合、および指９０１の接触角度θが閾値θth未満の状態といった４つの場合で互いに異なる処理を行なう。
【０３４２】
したがって、ユーザは、指９００，９０１の接触方向と接触角度とを調整することにより、電子機器１３００の動作モードをユーザの所望する動作モードに設定することができる。
【０３４３】
＜７．スキャン方式の選択＞
電子機器１３００Ａが使用される環境によっては、電子機器１３００が図３０に示したスキャン方式を実行することが、接触角度θを精度良く検出する観点から好ましい場合がある。あるいは、電子機器１３００Ａが図３５に示したスキャン方式を実行することが、同様な観点から好ましい場合がある。さらには、電子機器１３００Ａが図３７に示したスキャン方式を実行することが、同様な観点から好ましい場合がある。
【０３４４】
そこで、電子機器１３００Ａ（図３６参照）が、図３０に示したスキャン方式、図３５に示したスキャン方式、および図３７に示したスキャン方式のうちから最適なスキャン方法を選択する構成について説明する。
【０３４５】
電子機器１３００Ａは、スキャン方式を選択する場合、光量判断部３１６と本数測定部３１７と本数判断部３１８とを用いる（図２４参照）。
【０３４６】
光量判断部３１６は、液晶パネル２４０の表示画面に対する上記散乱光の入射光量が、予め定められた値よりも大きいか否かを判断する。
【０３４７】
本数測定部３１７は、指９００が液晶パネル２４０の表示画面に接触している状態において、上記散乱光によって指９００が当該表示画面上に形成する影の本数を、上記スキャンにより得られたデータに基づいて測定する。
【０３４８】
本数判断部３１８は、本数測定部３１７により測定された上記影の本数が、予め定められた値よりも多いか否かを判断する。
【０３４９】
上記入射光量が上記予め定められた値よりも大きいと判断された場合に、影の本数が予め定められた値よりも多いと判断されると、表示装置１０３は、光源３６０１、３６０２から照射される光を用いたスキャンを行なう。一方、上記の場合において影の本数が当該予め定められた値よりも多くないと判断されると、表示装置１０３は、上記散乱光を用いてスキャンを行なう。
【０３５０】
また、上記入射光量が予め定められた値よりも大きくないと判断された場合、表示装置１０３は、表示装置１０３に内蔵された上記赤外線を照射する光源（たとえば、赤外線ＬＥＤ）から照射される赤外光を用いたスキャンを行なう。
【０３５１】
図４０は、電子機器１３００Ａによるスキャン方法の選択処理の流れを示したフローチャートである。図４０を参照して、電子機器１３００Ａは、ステップＳ３０２において、赤外線ＬＥＤをオフ状態に設定する。ステップＳ３０４において、電子機器１３００Ａは、散乱光の入射光量を測定する。ステップＳ３０６において、電子機器１３００Ａは、測定した入射光量が予め定められた値（規定値）以上であるか否かを判断する。
【０３５２】
電子機器１３００Ａは、入射光量が規定値以上であると判断した場合には（ステップＳ３０６においてＹＥＳ）、ステップＳ３１２において、赤外線ＬＥＤをオン状態に設定する。つまり、電子機器１３００Ａは、赤外線を照射する。一方、電子機器１３００Ａは、入射光量が規定値未満であると判断した場合には（ステップＳ３０６においてＮＯ）、ステップＳ３０８において、赤外線ＬＥＤをオン状態に設定する。そして、電子機器１３００Ａは、ステップＳ３１０において、内部反射光方式（図３０に示したスキャン方式）を選択する。
【０３５３】
電子機器１３００Ａは、ステップＳ３１４において、スキャンデータに基づき、最も暗い場所（すなわち、電圧が低い位置）を特定する（図３５（ｂ）参照）。つまり、電子機器１３００Ａは、接触領域における電圧が最も低い点（以下、「接触点」と称する）を特定する。ステップＳ３１６において、電子機器１３００Ａは、上記接触点から出ている影の本数を測定する。すなわち、電子機器１３００Ａは、上記散乱光によって指９００が当該表示画面上に形成する影の本数を、上記スキャンデータに基づいて測定する。
【０３５４】
ステップＳ３１８において、電子機器１３００Ａは、測定した影の本数が、上記予め定められた値（規定値）以上であるか否かを判断する。電子機器１３００Ａは、影の本数が規定値以上であると判断した場合（ステップＳ３１８においてＹｅｓ）、ステップＳ３２４において、赤外線ＬＥＤをオフ状態に設定する。つまり、電子機器１３００Ａは、赤外線の照射を停止する。そして、電子機器１３００Ａは、ステップＳ３２６において、光源３６０１、３６０２を用いた外部入射光方式を選択する（図３７に示したスキャン方式）。
【０３５５】
一方、電子機器１３００Ａは、影の本数が規定値未満であると判断した場合（ステップＳ３１８においてＮｏ）、ステップＳ３２０において、赤外線ＬＥＤをオフ状態に設定する。そして、電子機器１３００Ａは、上記散乱光を用いた外部入射光方式を選択する（図３５に示したスキャン方式）。
【０３５６】
なお、電子機器１３００Ａは、上記３つの方式を用いて連続したスキャンを行い、各方式において検出された各スキャンデータのバラつき（偏差）が少ない方式を選択する構成としてもよい。
【０３５７】
また、上記においては、電子機器１３００Ａが３つのスキャン方式から１つのスキャン方式を選択する構成を例に挙げて説明したが、これに限定されるものではない。電子機器１３００Ａが、２つのスキャン方式から１つのスキャン方式を選択する構成であってもよい。たとえば、電子機器１３００Ａの構成を、以下のような構成としてもよい。
【０３５８】
すなわち、電子機器１３００Ａは、入射光量が予め定められた値よりも大きいと判断した場合、散乱光を用いてスキャンを行い、入射光量が当該予め定められた値よりも大きくないと判断した場合、上記赤外線ＬＥＤから照射される光を用いたスキャンを行なう。つまり、電子機器１３００Ａの構成を、図３０に示したスキャン方式および図３５に示したスキャン方式から１つのスキャン方式を選択する構成としてもよい。
【０３５９】
＜８．クリック処理・ドラッグ処理＞
（１）図４１は、電子機器１３００における新たな処理を説明するための図である。図４１（ａ）は、図４１（ｂ）に対する比較図である。図４１（ｂ）は、液晶パネル２４０の表示画面に対する指９００の接触角度θを変化させた場合を示した図である。ここでは、図４１（ｂ）に関する処理が上記新たな処理に該当する。
【０３６０】
図４１（ａ）を参照して、指９００が接触角度θ２で液晶パネル２４０の表示画面に接触した場合（状態Ａから状態Ｂに遷移した場合）、上述したように、電子機器１３００は、電子機器１３００の動作モードを、当該接触をタッチ操作として処理する動作モードに設定する。
【０３６１】
図４１（ｂ）を参照して、ユーザが指９００を接触角度θ１で液晶パネル２４０の表示画面に接触させた場合（状態Ａ）、上述しように、ポインタ操作が実行される。さらに、上記接触を維持したまま、ユーザが指９００を立てることにより指９００の接触角度を接触角度θ２とすると（状態Ｂ）、電子機器１３００は、クリック操作と判断し、クリック処理を実行する。
【０３６２】
このように、直前の操作がポインタ操作である場合、電子機器１３００は、接触角度θ２での接触をクリック操作と判断する。一方、直前の操作がなければ、電子機器１３００は、接触角度θ２での接触をタッチ操作と判断する。
【０３６３】
上記のような構成により、ユーザは、寝かした指９００を立てることによって、電子機器１３００の処理をポインタ操作からクリック操作へと移行させることができる。
【０３６４】
（２）図４２は、図２７および図２８のフローチャートで示した処理の一部を説明するための図である。図４２（ａ）は、図２８のフローチャートで示した処理の一部を説明するための図である。図４２（ｂ）は、図２７のフローチャートで示した処理の一部を説明するための図である。
【０３６５】
図４２（ａ）を参照して、状態Ａは、図２８のステップＳ２０８の状態を示している。また、状態Ｂは、電子機器１３００が、図２８のステップＳ２１４でＹＥＳと判断した後、ステップＳ２０２でＮＯと判断した状態を示している。つまり、状態Ｂは、ポインタ操作として、閾値Ｔth以上にわたりユーザが指９００を表示画面に接触させていた直後の状態を示した図である。さらに、状態Ｃは、図２８のステップＳ２０８の状態を示している。状態Ｄは、電子機器１３００が、図２８のステップＳ２１４でＮＯと判断した後、ステップＳ２１６の処理（クリック操作）を実行する状態を示した図である。
【０３６６】
図４２（ｂ）を参照して、状態Ａは、図２７のステップＳ１０６の状態を示している。また、状態Ｂは、電子機器１３００が、図２７のステップＳ１０８でＹＥＳと判断した後、ステップＳ１０２でＮＯと判断した状態を示している。つまり、状態Ｂは、ポインタ操作が行なわれた後、ユーザが指９００を表示画面から離した状態を示した図である。状態Ｃは、状態Ｂの後、電子機器１３００が、ステップＳ１０４でＮＯと判断した後、ステップＳ１１２の処理を実行している状態を示した図である。
【０３６７】
（３）図４３は、電子機器１３００における、さらに新たな処理を説明するための図である。図４３（ａ）は、図４３（ｂ）に対する比較図である。図４３（ｂ）は、液晶パネル２４０の表示画面に対する指９００の接触角度θを変化させた後、指９００を当該表示画面上で滑らせた場合を示した図である。ここでは、図４３（ｂ）に関する処理が上記新たな処理に該当する。
【０３６８】
図４３（ａ）を参照して、ユーザが指９００を接触角度θ１で液晶パネル２４０の表示画面に接触させた場合（状態Ａ）、上述しように、ポインタ操作が実行される。さらに、上記接触を維持したまま、ユーザが指９００を立てることにより指９００の接触角度を接触角度θ２とする（状態Ｂ）。さらに、当該接触状態を保ったまま一定時間が経過すると（状態Ｃ）、電子機器１３００は、クリック操作と判断し、クリック処理を実行する。つまり、図４３（ａ）は、図４１（ｂ）の処理を、より詳しく示したものでもある。
【０３６９】
図４３（ｂ）を参照して、状態Ａと状態Ｂとは、それぞれ図４３（ａ）の状態Ａと状態Ｂと同じである。ここで、図４３（ｂ）に示す状態Ｂの後、ユーザが指９００を当該表示画面上で滑らせた場合（状態Ｃ）、電子機器１３００は、ユーザの操作をクリック操作ではなくドラッグ操作であると判断する。
【０３７０】
このように、電子機器１３００は、指９００を寝かした状態から指９００を立て、さらに指９００を表示画面上で移動させた場合、ドラッグ処理を実行する。
【０３７１】
＜９．文字入力＞
次に、電子機器１３００が入力処理部３１９を用いて処理を行なう構成について説明する（図２４参照）。図４４は、入力処理部３１９を用いた場合における電子機器１３００の処理を示した図である。図４４（ａ）は、液晶パネル２４０に表示される画像を示した図である。図４４（ｂ）は、液晶パネル２４０の表示画面と指９００との接触の状態を複数示した図である。
【０３７２】
図４４を参照して、表示制御部３２０は、データ入力用の複数の操作キーを液晶パネル２４０の表示画面に表示させる。電子機器１３００は、上記各操作キーに、複数の文字が予め割り当てている。
【０３７３】
設定部３１４は、指９００が、上記複数の操作キーのうちの１つの操作キーが表示された表示領域に接触した場合、当該１つの操作キーに割り当てられた複数の文字のうち、指９００の接触角度に応じた文字を入力候補として扱う動作モードに電子機器１３００の動作モードを設定する。
【０３７４】
入力処理部３１９は、指９００が上記表示領域から離れたことに基づき、上記入力候補を確定文字として処理する。以下、具体的に説明する。
【０３７５】
指９００がアイコン（操作キー）４４０１に接触した場合、図４４（ｂ）に示すとおり、電子機器１３００は、当該アイコン４４０１に割り当てられた複数の文字（たとえば、Ｄ、Ｅ、Ｆ、ｄ、ｅ、ｆ）のうち、指９００の接触角度に応じた文字（たとえば、Ｅ）を入力候補として扱う動作モードに電子機器１３００の動作モードを設定する。そして、入力処理部３１９は、指９００が上記接触角度で表示領域から離れたことに基づき、上記入力候補を確定文字として処理する。
【０３７６】
このような構成とすることにより、ユーザは、まず、指９００で操作キーを選択し、その後、指９００の傾きを変化させることにより、ユーザにとって所望の文字（数字、記号含む）を電子機器１３００に入力することができる。
【０３７７】
なお、表示制御部３２０は、入力文字が確定するまで、接触角度に応じた文字を液晶パネル２４０の表示画面に逐次表示する。これにより、ユーザは、現在ユーザ自身が選択している文字を視認することが可能となる。
【０３７８】
＜１０．ＯＳ選択＞
次に、電子機器１３００が、メイン装置側（第１ユニット１００１Ａ）のＯＳ（以下、「メインＯＳ」と称する）と、サブ装置側（第２ユニット１００２）のＯＳ（以下、「サブＯＳ」と称する）とを備える場合に、電子機器１３００が実行可能な処理の例を説明する。
【０３７９】
電子機器１３００は、液晶パネル２４０の表示画面に対する指９００の接触角度に基づいて、指９００の接触による入力指示が、メインＯＳに対する指示か、あるいはサブＯＳに対する指示であるのかを判断する。
【０３８０】
図４５は、電子機器１３００で行なわれる処理の流れを示したフローチャートである。図４５を参照して、電子機器１３００は、ステップＳ４０２において、指９００が液晶パネル２４０の表示画面に接触したか否かを検出する。
【０３８１】
電子機器１３００は、指９００が表示画面に接触したと判断した場合（ステップＳ４０２においてＹＥＳ）、ステップＳ４０４において、当該表示画面に対する指９００の接触角度が予め定められた閾値θth以上であるか否かを判断する。
【０３８２】
電子機器１３００は、指９００の接触角度θが閾値θth以上である場合（ステップＳ４０４においてＹＥＳ）、ステップＳ４０６において、電子機器１３００の動作モードを、当該接触をメインＯＳに対する操作として処理する動作モードに設定する。一方、電子機器１３００は、指９００の接触角度θが閾値θth未満である場合（ステップＳ４０４においてＮＯ）、ステップＳ４０８において、電子機器１３００の動作モードを、当該接触をサブＯＳに対する操作として処理する動作モードに設定する。
【０３８３】
このような構成により、ユーザは、複数のＯＳに対する指示を、１つのユーザ入力用のインターフェイスで行なうことが可能となる。
【０３８４】
また、ポインタ操作をメインＯＳが担い、タッチ操作をサブＯＳが担う構成とすることもできる。上記においては、２つのＯＳが存在している例を挙げて説明したが、これに限定されるものではない。たとえば、接触角度に応じて、３つ以上のＯＳに対して１つの上記インターフェイスから個別に指示を入力する構成としてもよい。
【０３８５】
また、２つのＯＳが一方のユニット（たとえば、第１ユニット１００１Ａ）に搭載されている場合にも、上述した処理を適用可能である。また、２つのＯＳが両ユニット（１００１Ａ、１００２）で共通に動作する構成であっても、上述した処理を適用可能である。
【０３８６】
また、メインＯＳとサブＯＳとは、同じ種類のＯＳであってもよいし、互いに異なる種類のＯＳであってもよい。
【０３８７】
＜１１．電子機器の変形例＞
図４６は、電子機器１３００の変形例の外観を示した図である。図４６を参照して、電子機器４６００は、表示装置１０２Ａと、表示装置１０３Ａと、操作キー１７７とを含む。表示装置１０３Ａは、液晶パネル２４０を含む。電子機器４６００は、液晶パネル２４０の表示画面のサイズが電子機器１３００の液晶パネル２４０のサイズよりも大きい点で、電子機器１３００とは異なる。
【０３８８】
図４７は、ユーザの指９００の操作を示した図である。図２１（ａ）は、接触角度θ１で指９００の移動を示した図である。図２１（ｂ）は、接触角度θ２で指９００の移動を示した図である。
【０３８９】
図４７（ａ）を参照して、ユーザが、接触角度θ１で矢印４７０１に示すように、指９００を液晶パネル２４０の表示画面上で移動させたとする。この場合、電子機器４６００は、たとえば、表示装置１０２Ａの表示画面に表示していたマウスカーソルを、当該移動に基づき矢印２１０２の方向に移動する。つまり、電子機器４６００は、ポインタ操作を実行する。
【０３９０】
図４７（ｂ）を参照して、ユーザが、指９００を矢印４７０２の方向に移動させて、接触角度θ２で液晶パネル２４０の表示画面に指９００を接触させたとする。この場合、電子機器４６００は、タッチ操作を実行する。
【０３９１】
なお、電子機器４６００が、接触角度θに応じてポインタ操作とタッチ操作との間で操作を切り換える構成ではなく、電子機器４６００が、接触角度θに応じて、メインＯＳへの指示とサブＯＳに対する指示との間で操作を切り換える構成の場合には、電子機器４６００は、以下の処理を行なう。
【０３９２】
ユーザが、接触角度θ１で指９００を液晶パネル２４０の表示画面上で移動させたとする。この場合、電子機器４６００は、電子機器４６００の動作モードを、当該接触をメインＯＳに対する操作として処理する動作モードに設定する。一方、ユーザが、接触角度θ２で指９００を液晶パネル２４０の表示画面上で移動させたとする。この場合、電子機器４６００は、電子機器４６００の動作モードを、当該接触をサブＯＳに対する操作として処理する動作モードに設定する。
【０３９３】
図４８は、電子機器４６００に対するユーザ操作を説明するための図である。図４８を参照して、ユーザが指９００（たとえば右手の指）を接触角度θ１で液晶パネル２４０の表示画面に接触させるととも、矢印４８０１の方向に指９００を移動させた場合、電子機器４６００は、表示装置１０２Ａのマウスカーソル４８０６を矢印４８０５の方向に移動する。
【０３９４】
また、ユーザが指９０１（たとえば左手の指）を接触角度θ２で液晶パネル２４０の表示画面に接触させるととも、矢印４８０２の方向に指９００を移動させた場合、電子機器４６００は、液晶パネル２４０に表示した複数の操作キー（ソフトウェアキー）のうち、指９０１が接触した箇所に対応する操作キー４８０３に対するタッチ操作を実行する。
【０３９５】
さらに、指９００，９０１の代わりに、たとえばペン４８１０を接触角度θ１で液晶パネル２４０の表示画面に接触させるととも、矢印４８０４の方向にペン４８１０を移動させた場合、電子機器４６００は、表示装置１０２Ａのマウスカーソル４８０６を矢印４８０４に応じた方向に移動する。
【０３９６】
以上のように、電子機器４６００は、電子機器１３００と同様な処理を実行する。
ところで、電子機器４６００の液晶パネル２４０の表示画面は、電子機器１３００の液晶パネル２４０の表示画面よりも広い。また、電子機器４６００の液晶パネル２４０の表示画面は、表示装置１０２Ａの表示画面と同じ程度の広さを有している。電子機器４６００がこのような構成を採る場合、電子機器４６００は、以下のような利点を有する。
【０３９７】
人が机の上で、本を読んだり、あるいはノートに文字を書く場合には、本の紙面やノートン紙面は、机と平行かつ人体に近い部分に置かれることになる。したがって、電子機器４６００のように液晶パネル２４０が操作キー１７７よりも手前（ユーザ側）に配置されることにより、電子機器を用いない場合（上述した、本を読んだり、あるいはノートに文字を書く場合）に近い使い勝手を実現することができる。
【０３９８】
また、電子機器４６００を、液晶パネルを操作キー１７７の下部の位置にスライドさせて、液晶パネル２４０の表示画面の全部または一部が操作キー１７７によって視認不可能に配することができる構成としてもよい。
【０３９９】
＜１２．イラスト描画＞
図４９は、電子機器４６００における処理を説明するための図である。電子機器４６００の記憶装置３９０はグラフィックソフトウェアを格納している。図４９を参照して、表示制御部３２０は、上記グラフィックソフトウェアの実行時のユーザインターフェイス画面を、表示装置１０２Ａの表示画面と液晶パネル２４０の表示画面とに表示させる。より詳しくは、表示装置１０２Ａの表示画面において、上記ユーザインターフェイス画面がアクティブになった場合に、表示制御部３２０は、液晶パネル２４０の表示画面に上記ユーザインターフェイス画面を表示する。
【０４００】
ユーザが指９００を接触角度θ２で液晶パネル２４０の表示画面に接触させた場合、電子機器４６００は、電子機器４６００の動作モードを、当該接触を液晶パネル２４０におけるタッチ操作として処理する動作モードに設定する。この場合、表示制御部３２０は、表示装置１０２Ａの表示画面に、タッチ操作に基づいた描画処理を行なう。これにより、タッチ操作による軌跡４９０１に基づいた画像４９０３が、表示装置１０２Ａの表示画面に描画される。より詳しくは、タッチ操作が、ユーザインターフェイス画面における描画領域に対する操作である場合、表示制御部３２０は、当該タッチ操作に基づいた描画処理を、少なくとも表示装置１０２Ａの表示画面に行なう。
【０４０１】
なお、図４９は、タッチ操作に基づいた描画処理を、液晶パネル２４０の表示画面および表示装置１０２Ａの表示画面に行なっている場合を示した図である。
【０４０２】
また、接触時間が予め定められた時間よりも短い場合には、電子機器４６００は、描画処理をせずに、接触した位置に表示されているオブジェクト（たとえば、テキストや図形）を選択されたオブジェクトとして処理する。この場合、電子機器４６００は、表示装置１０２Ａに表示されている当該オブジェクトと同じオブジェクトについても、選択されたオブジェクトとして処理する。
【０４０３】
さらに、当該オブジェクトが選択された状態において、操作キー１７７によりユーザが文字を入力した場合、当該文字が当該オブジェクト内に表示される。これにより、ユーザは、たとえばオブジェクトがテキストである場合、当該テキストに対して文字の追加入力や文字の上書き入力ができる。
【０４０４】
一方、ユーザがたとえば指９０１を接触角度θ１で液晶パネル２４０の表示画面に接触させた場合、電子機器４６００は、電子機器４６００の動作モードを、当該接触を表示装置１０２Ａの表示画面におけるポインタ操作として処理する動作モードに設定する。具体的には、ユーザが、接触角度θ１で矢印４９０２に示すように、指９０１を液晶パネル２４０の表示画面上で移動させたとする。この場合、電子機器４６００は、たとえば、表示装置１０２Ａの表示画面に表示していたマウスカーソル４９０５を、当該移動に基づき矢印４９０４の方向に移動する。つまり、電子機器４６００は、ポインタ操作を実行する。
【０４０５】
＜１３．プリントイメージ＞
図５０は、電子機器４６００における他の処理を説明するための図である。電子機器４６００の記憶装置３９０はアプリケーションソフトウェアを格納している。図５０を参照して、表示制御部３２０は、上記アプリケーションソフトウェアの実行時のユーザインターフェイス画面を表示装置１０２Ａの表示画面に表示させるとともに、当該アプリケーションソフトウェアの実行時に予め定められた処理を受け付けた場合、当該ユーザインターフェイス画面に応じた印刷イメージを液晶パネル２４０の表示画面に表示させる。より詳しくは、電子機器４６００は、表示装置１０２Ａの表示画面においてアクティブな状態となっているアプリケーションのプリントイメージを液晶パネル２４０の表示画面に表示する。
【０４０６】
ユーザが指９００を接触角度θ２で液晶パネル２４０の表示画面に接触させた場合、電子機器４６００は、電子機器４６００の動作モードを、当該接触を液晶パネル２４０におけるタッチ操作として処理する動作モードに設定する。この場合、電子機器４６００は、表示されたオブジェクトの中から、タッチ位置に応じたオブジェクトを選択する処理を行なう。
【０４０７】
たとえば、電子機器４６００は、メニューボタン５０１０に含まれるオブジェクト５０１１、５０１２、５０１３の一つを選択する処理を行なった場合、当該選択されたオブジェクトに対応付けて規定された処理を実行する。
【０４０８】
また、電子機器４６００は、オブジェクトであるテキストを選択する処理を行なった場合、操作キー１７７によりユーザが文字を入力すると、当該文字が当該オブジェクト内に表示される。これにより、ユーザは、たとえばオブジェクトがテキストである場合、当該テキストに対して文字の追加入力や文字の上書き入力ができる。
【０４０９】
一方、ユーザがたとえば指９０１を接触角度θ１で液晶パネル２４０の表示画面に接触させた場合、電子機器４６００は、電子機器４６００の動作モードを、当該接触を表示装置１０２Ａの表示画面におけるポインタ操作として処理する動作モードに設定する。具体的には、ユーザが、接触角度θ１で矢印５００２に示すように、指９０１を液晶パネル２４０の表示画面上で移動させたとする。この場合、電子機器４６００は、たとえば、表示装置１０２Ａの表示画面に表示していたマウスカーソル５００４を、当該移動に基づき矢印５００３の方向に移動する。つまり、電子機器４６００は、ポインタ操作を実行する。
【０４１０】
＜１４．ポータルサイト＞
図５１は、電子機器４６００におけるさらに他の処理を説明するための図である。図５１（ａ）は、表示装置１０２Ａの表示画面と液晶パネル２４０の表示画面とに表示される表示画像の一例を示した図である。図５１（ｂ）は、表示装置１０２Ａの表示画面と液晶パネル２４０の表示画面とに表示される表示画像の他の例を示した図である。
【０４１１】
電子機器４６００の記憶装置３９０はウェブブラウザのソフトウェアを格納している。図５１を参照して、表示制御部３２０は、上記ウェブブラウザの起動に基づき、予め設定されたポータルサイトを液晶パネル２４０の表示画面に表示させる。なお、「ポータルサイト」とは、ウェブブラウザのソフトウェアを起動させたときに、最初に表示されるサイトである。
【０４１２】
ユーザが指９００を接触角度θ２で液晶パネル２４０の表示画面に接触させた場合、電子機器４６００は、電子機器４６００の動作モードを、当該接触を液晶パネル２４０におけるタッチ操作として処理する動作モードに設定する。この場合、表示制御部３２０は、ポータルサイトにおけるリンク先を示す画像がタッチ操作によって選択されたことに基づき、図５１（ａ）に示すとおり、当該リンク先を示す画像により特定されるリンク先のウェブサイトを表示装置１０２Ａの表示画面に表示させる。
【０４１３】
一方、ユーザがたとえば指９０１を接触角度θ１で液晶パネル２４０の表示画面に接触させた場合、電子機器４６００は、電子機器４６００の動作モードを、当該接触を表示装置１０２Ａの表示画面におけるポインタ操作として処理する動作モードに設定する。つまり、電子機器４６００は、マウスカーソル５１０２の移動を行なう。なお、マウスカーソル５１０２は、図５１（ｂ）に示すとおり、矢印５１１１の方向に応じた方向に移動する。
【０４１４】
この場合には、表示制御部３２０は、液晶パネル２４０の表示画面を、上記ポータルサイトから、図５１（ｂ）に示すとおり、表示装置１０２Ａの表示画面においてアクティブとなっている画像（たとえば、ウェブサイト）に切り換える。より詳しくは、表示制御部３２０は、液晶パネル２４０の表示画面を、上記ポータルサイトから、上記アクティブとなっている画像の縮小画像に切り換える。また、ユーザが指９０１を表示画面から離すなどしてポインタ操作を中止すると、表示制御部３２０は、再び、液晶パネル２４０の表示画面に上記ポータルサイトを表示させる。なお、ポインタ操作時においては、液晶パネル２４０の表示画面と指９００との接触時間に基づいて、クリック操作を行なう（図４２（ａ）参照）。
【０４１５】
さらに、図５１（ｂ）に示したように、指９０１を接触角度θ１で液晶パネル２４０の表示画面に接触にさせた状態において、ユーザが他方の指９００を接触角度θ２で液晶パネル２４０の表示画面に接触させた場合、電子機器４６００は、以下の処理を行なう。すなわち、タッチ位置がリンク先を特定する画像（オブジェクト）である場合、電子機器４６００は、表示装置１０２Ａの表示画面においてアクティブになっているウインドウに表示する画像を、元の画像から、上記リンク先の画像に切り換える。
【０４１６】
このように、電子機器４６００は、液晶パネル２４０の表示画面におけるユーザ操作によって、表示装置１０２Ａの表示画面におけるポインタ操作と、タッチ操作に基づく当該表示画面における画面切り換え処理とを実行できる。また、液晶パネル２４０の表示画面におけるユーザ操作によって、表示装置１０２Ａのアクティブな状態のウインドウを、液晶パネル２４０の表示画面に表示可能にもなる。
【０４１７】
また、上述したように、電子機器１３００は、液晶パネル２４０に表示されたリンク先を示す画像（オブジェクト）に指９００が接触角度θ２で接触することにより（つまり、タッチ操作）、リンク際のサイトの画面を表示装置１０２Ａの表示画面に表示する。また、液晶パネル２４０の表示画面は、表示装置１０２Ａの表示画面よりも小さい。このため、ユーザが指９００を接触させる領域が狭いほど、ユーザは、接触させる指９００を立てざるを得ない。したがって、ユーザは、液晶パネル２４０の表示画面において、オブジェクトを指９００で選択する場合、無意識のうちに指９００を立てることになる。このように、電子機器１３００は、ユーザが直感的な操作を行なうことができる点から、ユーザにとって利便性の高い機器であるといえる。
【０４１８】
＜１５．メディアプレーヤ＞
図５２は、電子機器４６００におけるさらに他の処理を説明するための図である。電子機器４６００の記憶装置３９０はメディアプレーヤのソフトウェアを格納している。図５２を参照して、表示制御部３２０は、上記メディアプレーヤの起動に基づき、映像を表示するための表示領域を表示装置１０２Ａの表示画面に設定する処理を行なう。さらに、表示制御部３２０は、当該映像の表示を制御するためのソフトウェアキーを含む画像（以下、「コントローラ画像」とも称する）を液晶パネル２４０の表示画面に表示させる。
【０４１９】
ユーザが指９００を接触角度θ２で液晶パネル２４０の表示画面に接触させた場合、電子機器４６００は、電子機器４６００の動作モードを、当該接触を液晶パネル２４０におけるタッチ操作として処理する動作モードに設定する。この場合、電子機器４６００は、たとえば、上記ソフトウェアキーであるボタン（画像）５２０５が矢印５２０１方向のタッチ操作によって選択されたことに基づき、当該ボタン５２０５に対応付けられた処理を実行する。図５２の場合、電子機器４６００は、表示装置１０２Ａに表示されており映像の早送り処理を実行する。その他、電子機器４６００は、タッチ位置に応じて、再生、停止、番組表からの録画予約、録画済番組の表示を実行する。
【０４２０】
なお、ユーザが指９００を接触角度θ２で液晶パネル２４０の表示画面に接触させている場合には、電子機器４６００は、マウスカーソル５２０３は非表示としてもよい。
【０４２１】
一方、ユーザがたとえば指９０１を接触角度θ１で液晶パネル２４０の表示画面に接触させた場合、電子機器４６００は、電子機器４６００の動作モードを、当該接触を表示装置１０２Ａの表示画面におけるポインタ操作として処理する動作モードに設定する。つまり、電子機器４６００は、マウスカーソル５２０３の移動を行なう。なお、マウスカーソル５２０３は、たとえば矢印５２０２の方向に応じた方向に移動する。この場合、たとえばマウスカーソル５２０３が映像中の人物の位置に移動すると、表示制御部３２０は、映像データに予め付加された付加情報に基づき、当該人物を紹介する画像を表示装置１０２Ａの表示画面に表示させる。たとえば、表示制御部３２０は、当該人物の名前などを表示画面に表示させる。
【０４２２】
なお、映像データに、ＷｅｂコンテンツやＷｅｂリンクが含まれていてもよい。この場合、電子機器４６００は、マウスカーソル５２０３の移動により、ＷｅｂコンテンツやＷｅｂリンクを表示することができる。また、上記コントローラ画像は、ネットワーク上に存在するＷｅｂページによって実現してもよい。
【０４２３】
以上のように、電子機器４６００が、液晶パネル２４０の表示画面に表示されたコントローラ画像を用いて、表示装置１０２Ａに表示される映像の表示制御などを行なうことにより、ユーザは、直感的かつ容易な操作が可能となる。
【０４２４】
＜１６．コントローラ＞
図５３は、電子機器４６００におけるさらに他の処理を説明するための図である。電子機器４６００の記憶装置３９０は、当該電子機器４６００とは異なる複数の電化製品を示した画像データと、各電化製品の動作を制御するアプリケーションソフトウェアとを格納している。図５３を参照して、表示制御部３２０は、上記アプリケーションソフトウェアを起動した場合、上記画像データに基づき表示装置１０２Ａの表示画面に当該複数の電化製品を示す画像を表示させる。
【０４２５】
ユーザがたとえば指９０１を接触角度θ１で液晶パネル２４０の表示画面に接触させた場合、電子機器４６００は、電子機器４６００の動作モードを、当該接触を表示装置１０２Ａの表示画面におけるポインタ操作として処理する動作モードに設定する。つまり、電子機器４６００は、マウスカーソル５３０３の移動を行なう。なお、マウスカーソル５３０３は、たとえば矢印５３０２の方向に応じた方向に移動する。
【０４２６】
ここで、ポインタ操作が予め定められた時間より短い場合、電子機器４６００は、ポインタ操作をクリック操作として処理する。たとえばマウスカーソル５３０３がエアコン画像５３０４上に位置している場合、当該処理により、電子機器４６００はエアコン画像５３０４を選択する。なお、これに限らず、電子機器４６００を、一定時間マウスカーソル５３０３がエアコン画像５３０４上に位置している場合、エアコン画像５３０４を選択する構成としてもよい。
【０４２７】
表示制御部３２０は、表示装置１０２Ａの表示画面において上記クリック操作などにより選択された電化製品の動作を制御するためのソフトウェアキーを含む画像を液晶パネル２４０の表示画面に表示させる。たとえばエアコン画像５３０４が選択された場合、表示制御部３２０、液晶パネル２４０の表示画面に、エアコンのコントローラ画像を表示させる。
【０４２８】
ここで、ユーザが指９００を接触角度θ２で液晶パネル２４０の表示画面に接触させた場合、電子機器４６００は、電子機器４６００の動作モードを、当該接触を液晶パネル２４０におけるタッチ操作として処理する動作モードに設定する。この場合、電子機器４６００は、たとえば、上記ソフトウェアキーであるボタンが、矢印５３０１方向のタッチ操作によって選択されたことに基づき、当該ボタンに対応付けられた処理を実行する。
【０４２９】
また、温度設定を行なう場合には、電子機器４６００の構成を以下のようにしてもよい。すなわち、ユーザが、指９００を接触角度θ２で液晶パネル２４０の表示画面（詳しくは、温度設定のオブジェクトの上）に接触させた状態で、指９００を当該表示画面上で滑らせることにより、電子機器４６００は、滑らした量および滑らした方向に応じて温度を調整する。
【０４３０】
また、上記コントローラ画像は、ネットワーク上に存在するＷｅｂページによって実現してもよい。
【０４３１】
このように、電子機器４６００は、複数の電化製品の制御を、液晶パネル２４０の表示画面において実行することが可能となる。つまり、電子機器４６００は、複数の電化製品を制御するリモートコントローラとしての機能を果たす。
【０４３２】
＜＜第２の具体的な実現例（１画面）＞＞
＜１．基本構成＞
上記の「＜＜第１の具体的な実現例（２画面）＞＞」においては、２つの表示画面を備えた電子機器１３００、１３００Ａ、４６００について説明した。以下では、上述した接触角度に応じた動作モードの切り換え処理を実行する、１つの表示画面を備える電子機器について説明する。
【０４３３】
図５４は、電子機器５４００の外観を示した図である。図５４を参照して、電子機器５４００は、液晶パネル２４０を備える。電子機器５４００は、第２ユニット１００２（図１８参照）と同様な構成を有する。したがって、以下では、電子機器５４００のハードウェア構成等については、説明を繰り返さない。なお、電子機器５４００は、ハードウェアのキーボード（操作キー）を備えていない。
【０４３４】
図５５は、指９００が接触角度θ１で液晶パネル２４０の表示画面に接触した場合における「ポインタ操作」を示した図である。図５５（ａ）は、指９００の移動を示した図である。図５５（ｂ）は、マウスカーソルの移動を説明するための図である。
【０４３５】
図５５（ａ）を参照して、ユーザが、接触角度θ１で矢印５５０１に示すように、指９００を液晶パネル２４０の表示画面上で移動させたとする。この場合、電子機器５４００は、図５５（ｂ）に示すとおり、液晶パネル２４０の表示画面に表示していたマウスカーソル５５０３を、当該移動に基づき矢印５５０２の方向に移動する。
【０４３６】
図５６は、指９００が接触角度θ２で液晶パネル２４０の表示画面に接触した場合における「タッチ操作」を示した図である。図５６（ａ）は、指９００の移動を示した図である。図５６（ｂ）は、タッチ操作に伴う処理を説明するための図である。
【０４３７】
図５６（ａ）を参照して、ユーザが、指９００を矢印５６０１の方向に移動させて、接触角度θ２で液晶パネル２４０の表示画面に指９００を接触させたとする。この場合、電子機器５４００は、図５６（ｂ）に示すとおり、ボタンアイコン５６０１の選択に伴った処理を実行する。なお、同図は、電子機器５４００がラーメンの注文数を「６」とする処理を示している。
【０４３８】
＜２．液晶付きハードウェアキーボード＞
図５７は、電子機器５７００の外観を示した図である。図５７を参照して、電子機器５７００は、液晶パネル２４０と、ハードウェアである操作キー１７７Ａとを備える。電子機器５７００は、操作キー１７７Ａを備える点以外は、第２ユニット１００２（図１８参照）と同様な構成を有する。なお、操作キーは、複数の入力キーを含む。
【０４３９】
また、ユーザが電子機器５７００を使用する際には、操作キー１７７Ａよりも液晶パネル２４０が、ユーザ側に配される。なお、以下では、説明の便宜上、液晶パネル２４０と操作キー１７７Ａとは、Ｘ軸と当該Ｘ軸に垂直なＹ軸とで規定される平面上に配されているとして説明する。
【０４４０】
液晶パネル２４０は、操作キー１７７ＡよりもＹ軸負方向側に配されている。操作キー１７７Ａにおける複数の入力キーのうち少なくとも１つの入力キーには、当該入力キーに割り当てられた文字が表示されている。たとえば、当該文字として、アルファベットやカナが表示されている。また、Ｙ軸負方向側からＹ軸正方向側に向かって、上記文字が正立している。たとえば、操作キー１７７ＡがＱＷＥＲＴＹ方式のキーボードである場合、Ｙ軸負方向からＹ軸正方向に、「Ｚ」を示した入力キー、「Ａ」を示した入力キー、「Ｑ」を示した入力キーが、当該順に配されている。
【０４４１】
また、電子機器５７００は、たとえば、液晶パネル２４０の表示画面にソフトウェアキーボードを示したキーボード画像を表示させる。
【０４４２】
図５８は、指９００が接触角度θ１で液晶パネル２４０の表示画面に接触した場合における「ポインタ操作」を示した図である。図５８（ａ）は、指９００の移動を示した図である。図５８（ｂ）は、マウスカーソルの移動を説明するための図である。
【０４４３】
図５８（ａ）を参照して、ユーザが、接触角度θ１で矢印５８０１に示すように、指９００を液晶パネル２４０の表示画面上で移動させたとする。この場合、電子機器５７００は、図５８（ｂ）に示すとおり、液晶パネル２４０の表示画面に表示していたマウスカーソル５８０３を、当該移動に基づき矢印５８０２の方向に移動する。
【０４４４】
図５９は、指９００が接触角度θ２で液晶パネル２４０の表示画面に接触した場合における「タッチ操作」を示した図である。図５９（ａ）は、指９００の移動を示した図である。図５９（ｂ）は、タッチ操作に伴う処理を説明するための図である。
【０４４５】
図５９（ａ）を参照して、ユーザが、指９００を矢印５９０１の方向に移動させて、接触角度θ２で液晶パネル２４０の表示画面に指９００を接触させたとする。この場合、電子機器５７００は、図５９（ｂ）に示すとおり、オブジェクトの選択に伴った処理を実行する。なお、同図は、電子機器５７００が画面の一部をスクロールする処理を示している。
【０４４６】
図６０は、電子機器５７００を含んだ通信システムの構成を示した図である。図６０を参照して、通信システム６０００は、電子機器５７００と、３つの電子機器６００１、６００２、６００３とを備えている。
【０４４７】
電子機器５７００は、外部通信部２７４（図１８参照）によって、３つの電子機器６００１、６００２、６００３と通信可能である。電子機器６００１、６００２、６００３は、それぞれ表示装置を備えている。電子機器６００１、６００２、６００３は、ハードウェアの操作キー（キーボード）を備えていない点を除けば、通常のパーソナルコンピュータと同様なハードウェア構成を有する。
【０４４８】
通信システム６０００においては、入力装置である電子機器５７００を用いて、３つの電子機器６００１、６００２、６００３に、ユーザにより入力された指示（制御コマンド）を送信する。その際、電子機器５７００は、指９００の接触角度θに応じて、上記指示の送信先を決定する。具体的に説明すると、以下のとおりである。
【０４４９】
指９００の接触角度θが閾値Ａ以上である場合、電子機器５７００は、当該接触による入力指示を電子機器６００１に送信する。指９００の接触角度θが閾値Ａ未満かつ閾値Ｂ以上である場合（ただし、Ａ＞Ｂ）、電子機器５７００は、当該接触による入力指示を電子機器６００２に送信する。指９００の接触角度θが閾値Ｂ未満である場合、電子機器５７００は、当該接触による入力指示を電子機器６００３に送信する。
【０４５０】
つまり、外部通信部２７４は、接触角度θに基づいて設定された動作モードにおいて通信対象として規定された電子機器に対して、制御コマンドを送信する。
【０４５１】
このような構成により、ユーザは、電子機器６００１、６００２、６００３のうち、指９００の接触角度に応じた電子機器に対して操作を行なうことができる。それゆえ、ユーザは、複数の電子機器６００１、６００２、６００３を、１つの入力装置（電子機器５７００）により操作することできる。
【０４５２】
なお、電子機器６００１、６００２、６００３は、ＯＳを備えていない単なるディスプレイであってもよい。また、電子機器５７００と電子機器６００１、６００２、６００３との通信は、図６０に示すとおり無線による通信であってもよいし、あるいは有線による通信であってもよい。
【０４５３】
さらに、たとえば、指９００の接触角度θが閾値Ｃ以下である場合（ただし、Ｂ＞Ｃ）、電子機器５７００は、当該接触による入力指示を電子機器５７００への指示として処理してもよい。
【０４５４】
＜３．表示画面上にキーボードを配置する構成＞
図６１は、電子機器６１００の外観を示した図である。図６１を参照して、電子機器６１００は、キーボード６１０１と、ケーブル６１０２と、表示装置６１０３とを備えている。
【０４５５】
キーボード６１０１は、複数の入力キーを含む入力キー群を備えた、ハードウェアのキーボードである。ケーブル６１０２は、通信用ケーブルである。キーボード６１０１は、表示装置６１０３の表示画面上に載置されている。具体的には、キーボード６１０１は、ユーザが電子機器６１００を使用する際に、奥側となる位置に載置されている。キーボード６１０１と、表示装置６１０３とは、ケーブル６１０２により、通信可能に接続されている。
【０４５６】
表示装置６１０３は、液晶パネル２４０を備えている。表示装置６１０３は、入力装置であるキーボード６１０１から入力指示を受け付ける点を除けば、電子機器５４００（図５４参照）と同様な構成を有している。したがって、表示装置６１０３のハードウェア構成等については、説明を繰り返さない。
【０４５７】
電子機器６１００は、画像６１２０の向きがキーボード６１０１側となるように、当該画像６１２０を液晶パネル２４０の表示画面に表示させる。当該画像６１２０としては、たとえば文書ファイルなどが挙げられる。
【０４５８】
電子機器６１００においても、上述した接触角度に応じた動作モードの切り換え処理を実行する。図６１を参照して、たとえば、ユーザが接触角度θ１で指９００を液晶パネル２４０の表示画面上で移動させたとする。この場合、電子機器６１００は、液晶パネル２４０の表示画面に表示していたマウスカーソル６１１２を、当該移動に基づき、たとえば矢印６１１０の方向に移動する。また、ユーザが、指９００を矢印６１１１の方向に移動させて、接触角度θ２で液晶パネル２４０の表示画面に指９００を接触させたとする。この場合、電子機器６１００は、タッチ操作としてオブジェクトの選択に伴った処理（たとえば、文書の選択）を実行する。
【０４５９】
なお、電子機器６１００は、スキャンによりキーボード６１０１が載置された領域を判定するとともに、当該領域を除いた領域に上記画像６１２０を表示する構成とすることが好ましい。
【０４６０】
図６２は、従来のパーソナルコンピュータの構成を示した図であって、図６１と比較するための比較図である。図６２を参照して、パーソナルコンピュータ６２００は、キーボード６２０１と、ディスプレイ６２０２と、マウス６２０３とを備えている。また、パーソナルコンピュータ６２００は、書類６２９９とともに、机の上に載置されている。また、書類６２９９は、キーボード６２０１よりもユーザ側に載置されている。
【０４６１】
図６１の電子機器６１００は、画像６１２０をキーボード６１０１の手前（ユーザ側）に表示する。このため、電子機器６１００のユーザは、画像６１０２に対する操作を行なう場合、図６２のように書類を机の上において作業を実行しているのと同様な感覚で、操作を行なうことができる。
【０４６２】
＜＜他の変形例＞＞
＜１．指紋の利用＞
次に、指紋を用いて、上述した動作モードの設定を行なう電子機器６７００（図６７参照）の構成について説明する。まず、指９００の接触角度と、当該指９００の接触状態で得られるスキャン画像との対応について説明する。
【０４６３】
図６３は、指９００を、液晶パネル２４０の表示画面に対して寝かせた状態で接触させた場合を説明するための図である。図６３（ａ）は、指９００を液晶パネル２４０の表示画面に接触させた状態を示した図である。また、図６３（ａ）の液晶パネル２４０の図は、図６３（ｂ）のＬＸＩＩＩ−ＬＸＩＩＩ線矢視断面図である。図６３（ｂ）は、図６３（ａ）の状態で指９００が表示画面に接触したときに得られるスキャン画像の全体像を示した図である。つまり、図６３（ｂ）は、指９００の指紋画像である。図６３（ａ）に示すとおり指９００を寝かしているため、電子機器６７００は、図６３（ｂ）に示すとおり、指先の指紋の略全てをスキャンできる。
【０４６４】
図６４は、指９００を、図６３（ａ）よりも少し立てた状態で表示画面に接触させた場合を説明するための図である。図６４（ａ）は、指９００を液晶パネル２４０の表示画面に接触させた状態を示した図である。また、図６４（ａ）の液晶パネル２４０の図は、図６４（ｂ）のＬＸＩＶ−ＬＸＩＶ線矢視断面図である。図６４（ｂ）は、図６４（ａ）の状態で指９００が表示画面に接触したときに得られるスキャン画像の全体像を示した図である。図６４（ａ）に示すとおり指９００を少し立てているため、電子機器６７００は、図６４（ｂ）に示すとおり、指先の指紋の一部（ここでは、８０％とする）をスキャンできる。
【０４６５】
図６５は、指９００を、図６４（ａ）よりも少し立てた状態で表示画面に接触させた場合を説明するための図である。図６５（ａ）は、指９００を液晶パネル２４０の表示画面に接触させた状態を示した図である。また、図６５（ａ）の液晶パネル２４０の図は、図６５（ｂ）のＬＸＶ−ＬＸＶ線矢視断面図である。図６５（ｂ）は、図６５（ａ）の状態で指９００が表示画面に接触したときに得られるスキャン画像の全体像を示した図である。図６５（ａ）に示すとおり図６４（ａ）よりも指９００をさらに少し立てているため、電子機器６７００は、図６５（ｂ）に示すとおり、図６４（ｂ）よりも狭い範囲（ここでは、指先の指紋の６０％とする）をスキャンできる。
【０４６６】
図６６は、指９００を、図６５（ａ）よりも少し立てた状態で表示画面に接触させた場合を説明するための図である。図６６（ａ）は、指９００を液晶パネル２４０の表示画面に接触させた状態を示した図である。また、図６６（ａ）の液晶パネル２４０の図は、図６６（ｂ）のＬＸＶＩ−ＬＸＶＩ線矢視断面図である。図６６（ｂ）は、図６６（ａ）の状態で指９００が表示画面に接触したときに得られるスキャン画像の全体像を示した図である。図６６（ａ）に示すとおり図６５（ａ）よりも指９００をさらに少し立てているため、電子機器６７００は、図６６（ｂ）に示すとおり、図６５（ｂ）よりも狭い範囲（ここでは、指先の指紋の５０％とする）をスキャンできる。
【０４６７】
以上のように、ユーザが指９００を立てるにしたがって、電子機器６７００がスキャンできるユーザの指紋の範囲は変化する。電子機器６７００は、当該現象を利用して、電子機器６７００の動作モードを切り換える。
【０４６８】
図６７は、電子機器６７００のブロックを示した図である。図６７を参照して、電子機器６７００は、表示装置１０２Ａと、表示装置１０３と、制御部３００Ａと、記憶装置３９０とを備える。制御部３００Ａは、データ取得部３１０と、設定部３１４と、方向判断部３１５と、入力処理部３１９と、表示制御部３２０と、割合算出部３３０とを備えている。
【０４６９】
記憶装置３９０は、指紋を示した基準画像を予め格納している。基準画像は、指９００の第１関節より先の部分を液晶パネル２４０の表示画面に平行な状態で当該表示画面に接触させた場合において上記スキャンを行なうことにより得られる画像である。なお、以下では、指９００を液晶パネル２４０の表示画面に投影したときの指先が指す方向を、「指先方向」と称する。
【０４７０】
割合算出部３３０は、上記基準画像における指紋の領域に対する、上記指先方向におけるスキャンされた指の指紋の領域の割合を算出する。具体的には、割合算出部３３０は、たとえば図６３（ｂ）、６４（ｂ）、図６５（ｂ）、および図６６（ｂ）に示したように、１００％、８０％、６０％、５０％といった割合を算出する。
【０４７１】
設定部３１４は、上記算出された割合に基づいて、電子機器６７００の動作モードを、複数の動作モードのうちのいずれかの動作モードに設定する。たとえば、設定部３１４は、上記割合が８０パーセント以上の場合は、電子機器６７００の動作モードを、指９００の接触をポインタ操作として処理する動作モードに設定する。また、設定部３１４は、上記割合が８０パーセント未満の場合は、電子機器６７００の動作モードを、指９００の接触をタッチ操作として処理する動作モードに設定する。
【０４７２】
このように、電子機器６７００は、指紋を利用するため、電子機器１３００のように接触角度θを算出する必要がなくなる。
【０４７３】
なお、基準画像は、ユーザの指紋を予めスキャンすることにより得られた指紋画像とすることが好ましい。上記割合の算出において電子機器６７００が精度の高い結果を得ることができるためである。
【０４７４】
＜２．接触角度を検出しない他の構成＞
次に、上記指紋を用いる構成と同様に接触角度θを検出しない他の構成について説明する。
【０４７５】
図６８は、液晶パネル２４０に内蔵された赤外線（内部光）を照射する光源を用いてスキャンを行った際に得られるスキャン画像を説明するための図である。図６８（ａ）は、指９００を液晶パネル２４０の表示画面に接触角度θ１で接触させた状態を示した図である。ここで、図６８（ａ）の液晶パネル２４０の図は、図６８（ｂ）のＬＸＶＩＩＩ−ＬＸＶＩＩＩ線矢視断面図である。図６８（ｂ）は、図６８（ａ）の状態で指９００が表示画面に接触したときに得られるスキャン画像の全体像を示した図である。
【０４７６】
図６８を参照して、白色の部分が接触領域６８０１となる。また、指９００が表示画面から浮いている状態の箇所（検出領域６８０２）は、指９００と表示画面との距離に応じた色（白と黒との中間色（グレー））となる。その他の箇所については、黒色（均一）となる。なお、検出可能範囲６８０３は、たとえば、０〜３ｃｍである。
【０４７７】
図６８（ｂ）に示すとおり、接触領域６８０１の形状は、楕円形状となる。また、指９００が寝た状態で液晶パネル２４０の表示画面に接触しているため、指先方向が楕円の長軸方向となる。
【０４７８】
図６９は、液晶パネル２４０に内蔵された赤外線を照射する光源を用いてスキャンを行った際に得られるスキャン画像を説明するための図である。図６９（ａ）は、指９００を液晶パネル２４０の表示画面に接触角度θ２で接触させた状態を示した図である。ここで、図６９（ａ）の液晶パネル２４０の図は、図６９（ｂ）のＬＸＩＶ−ＬＸＩＶ線矢視断面図である。図６９（ｂ）は、図６９（ａ）の状態で指９００が表示画面に接触したときに得られるスキャン画像の全体像を示した図である。
【０４７９】
図６９を参照して、白色の部分が接触領域６９０１となる。また、指９００が表示画面から浮いている状態の箇所（検出領域６９０２）は、指９００と表示画面との距離に応じた色（白と黒との中間色（グレー））となる。その他の箇所については、黒色（均一）となる。なお、検出可能範囲６９０３は、たとえば、０〜３ｃｍである。
【０４８０】
図６９（ｂ）に示すとおり、接触領域６９０１の形状は、楕円形状となる。また、図６９（ａ）に示すとおり、指９００は、図６８（ａ）の状態よりも立った状態である。このため、図６９（ｂ）に示す楕円の長軸の長さは、図６８（ｂ）における楕円の長軸の長さよりも短くなる。
【０４８１】
また、図６９（ｂ）および図６８（ｂ）からも分かるように、指９００を寝かした状態から指９００を立てた状態に指９００を遷移させた場合、長軸の長さの変化量に比べ、短軸の長さの変化量は少ない。
【０４８２】
以上のように、指９００の接触角度θに応じて、接触領域６８０１，６９０１の楕円形状は変化する。そこで、楕円形状の変化に基づいて動作モードを切り換える電子機器の構成について説明する。
【０４８３】
図７０は、電子機器７０００のブロックを示した図である。図７０を参照して、電子機器７０００は、表示装置１０２Ａと、表示装置１０３と、制御部３００Ｂと、記憶装置３９０とを備えている。制御部３００Ｂは、データ取得部３１０と、設定部３１４と、方向判断部３１５と、光量判断部３１６と、本数測定部３１７と、本数判断部３１８と、入力処理部３１９と、表示制御部３２０と、特定部３４０とを備えている。
【０４８４】
特定部３４０は、スキャンデータに基づいて、指９００が接触している液晶パネル２４０の表示画面における接触領域の形状を特定する。
【０４８５】
設定部３１４は、特定された接触領域の形状に基づいて、電子機器７０００の動作モードを、複数の動作モードのうちのいずれかの動作モードに設定する。より詳しくは、設定部３１４は、上記特定された形状を楕円形状として処理するとともに、当該楕円の長軸の長さと短軸の長さとに基づいて、電子機器７０００の動作モードを設定する。さらに詳しく説明すると以下のとおりである。
【０４８６】
設定部３１４は、比較データとして、楕円の短軸の長さと長軸の長さに関するデータを記憶装置３９０に予め記憶している。さらに、当該データは、動作モードと対応付けがなされている。そして、設定部３１４は、設定部３１４が算出した長軸の長さと短軸の長さとを上記データを比較処理することにより、動作モードを設定する。
【０４８７】
また、設定部３１４を、たとえば、上記長軸の長さと上記短軸の長さとの比に基づいて、電子機器７０００の動作モードを設定する構成としてもよい。
【０４８８】
＜３．カメラで撮影する方式＞
次に、カメラで撮影した指９００の画像を用いて、上記接触角度θを検出する構成について説明する。
【０４８９】
図７１は、電子機器１３００Ｂの外観を示した図である。図７１を参照して、電子機器１３００Ｂは、電子機器１３００にカメラ６９０１を備えた構成である。カメラ６９０１は、表示装置１０２Ａの側面に取り付けられている。制御部３００は、カメラ６９０１を制御する。カメラ６９０１は、液晶パネル２４０の表示画面を含む画像を撮影する。
【０４９０】
図７２は、カメラ６９０１により撮影された画像を示した図である。なお、カメラ６９０１は、電子機器１３００Ｂが起動中（つまり、電源が投入された状態）、連続して画像を撮影してもよい。あるいは、電子機器１３００Ｂが起動中であって、電子機器１３００Ｂがスリープ状態以外において、連続して画像を撮影してもよい。あるいは、電子機器１３００Ｂは、液晶パネル２４０の表示画面に指９００などの物体が接触したことをトリガーとして撮影を行なってもよい。
【０４９１】
制御部３００は、カメラ６９０１によって撮影された画像に基づいて、指９００の接触角度θを検出する。より詳しくは、電子機器１３００Ｂの記憶装置３９０は、接触角度を示す情報に対応付けられた基準画像を複数、予め格納している。制御部３００は、画像を撮影した場合、当該画像が上記基準画像のいずれに近いかを判断する。さらに、制御部３００は、撮影した画像に近いと判断した基準画像に対応付けられた接触角度を、指９００の接触角度と判断する。接触角度θを判断した後の電子機器１３００Ｂの処理は、電子機器１３００の処理と同じであるため、説明を繰り返さない。
【０４９２】
また、基準画像に対して接触角度を示す情報が対応付けられている必要は必ずしもなく、接触角度を示す情報以外の識別情報が対応付けられていてもよい。この場合、制御部３００が、撮影した画像に近いと判断した基準画像に対応付けられた識別情報に基づき、複数の動作モードから１つの動作モードを選択すればよい。
【０４９３】
＜４．静電容量方式＞
上記においては、各電子機器１３００、１３００Ａ、１３００Ｂ、４６００が、それぞれ光センサ内蔵液晶パネル２４０を利用する構成について説明した。以下では、光センサ内蔵液晶パネル２４０の代わりに、電子機器が静電容量方式のタッチパネルを備える構成について説明する。
【０４９４】
図７３は、電子機器７３００のブロックを示した図である。図７３を参照して、電子機器７３００は、表示装置１０２Ａと、表示装置１０３Ｂと、制御部３００Ｃと、記憶装置３９０とを備えている。表示装置１０３Ｂは、多点入力が可能な静電容量方式のタッチパネルである。
【０４９５】
制御部３００Ｃは、容量変化検出部３５１と、形状算出部３５２と、距離算出部３１２と、角度検出部３１３と、設定部３１４と、方向判断部３１５と、入力処理部３１９と、表示制御部３２０とを備えている。
【０４９６】
容量変化検出部３５１は、上記タッチパネルに指が接触した際の容量の変化を検出する。
【０４９７】
形状算出部３５２は、容量変化検出部３５１による検出結果に基づいて、タッチパネル上における、指９００が接触している領域と当該指９００が当該タッチパネルに近接している領域との形状を算出する。
【０４９８】
設定部３１４は、形状算出部３５２により算出された形状に基づいて、電子機器７３００の動作モードを、複数の動作モードのうちのいずれかの動作モードに設定する。より詳しくは、設定部３１４は、距離算出部３１２による算出結果および角度検出部３１３による検出結果に基づいて、電子機器７３００の動作モードを設定する（図３４参照）。
【０４９９】
このように、電子機器７３００は、他の電子機器１３００、１３００Ａ、１３００Ｂ、４６００と同様に、液晶パネル２４０の表示画面に指９００が接触したことを検出した場合、電子機器７３００の動作モードを、当該指９００の接触角度に応じた動作モードに設定することができる。
【０５００】
＜＜その他＞＞
（１）上記においては、様々な適用例を挙げて説明したが、どの機能をＯＮ・ＯＦＦできるかを電子機器において設定可能としておけば、上述した機能を１つの電子機器で実現できる。
【０５０１】
（２）各電子機器１３００、１３００Ａ、１３００Ｂ、４６００は、表示装置１０２Ａの代わりに表示装置１０２を備える構成としてもよい。
【０５０２】
（３）ユーザは、各電子機器１３００Ａ、１３００Ｂ、４６００、５７００、６１００、６７００、７０００、７３００を用いることにより、当該各電子機器が載置された机の作業面と平行な面において、作業を行なうことができる。したがって、当該各電子機器は、ユーザにとって使い勝手がよい。
【０５０３】
（４）今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０５０４】
１００  電子機器、１００Ａ  筐体、１００Ｂ  筐体、１０１  本体装置、１０２  表示装置、１０２Ａ  表示装置、１０３  表示装置、１０３Ａ  表示装置、１０３Ｂ  表示装置、１０４  本体装置、１４０  液晶パネル、１７７  操作キー、１７７Ａ  操作キー、２４０  液晶パネル、２７４  外部通信部、３００  制御部、３００Ａ  制御部、３００Ｂ  制御部、３００Ｃ  制御部、３１０  データ取得部、３１１  領域検出部、３１２  距離算出部、３１３  角度検出部、３１４  設定部、３１５  方向判断部、３１６  光量判断部、３１７  本数測定部、３１８  本数判断部、３１９  入力処理部、３２０  表示制御部、３３０  割合算出部、３４０  特定部、３５１  容量変化検出部、３５２  形状算出部、３９０  記憶装置、９００  指、９０１  指、１３００  電子機器、１３００Ａ  電子機器、１３００Ｂ  電子機器、３００１  接触領域、３００２  検出領域、３１０１  接触領域、３１０２  検出領域、３２０１  接触領域、３２０２  検出領域、３４０１  接触領域、３４０２  検出領域、３５０１  接触領域、３５０２  検出領域、３６０１  光源、３６０２  光源、３７０１  接触領域、３７０２  検出領域、３７０４  影、３７０５  影、４６００  電子機器、４８１０  ペン、５４００  電子機器、５７００  電子機器、６０００  通信システム、６００１  電子機器、６００２  電子機器、６００３  電子機器、６１００  電子機器、６１０１  キーボード、６１０３  表示装置、６７００  電子機器、６８０１  接触領域、６８０２  検出領域、６９０１  接触領域、６９０１  カメラ、６９０２  検出領域、７０００  電子機器。
【図１】
2011008425.tif 000003
【図２】
2011008425.tif 000004
【図３】
2011008425.tif 000005
【図４】
2011008425.tif 000006
【図５】
2011008425.tif 000007
【図６】
2011008425.tif 000008
【図７】
2011008425.tif 000009
【図８】
2011008425.tif 000010
【図９】
2011008425.tif 000011
【図１０】
2011008425.tif 000012
【図１１】
2011008425.tif 000013
【図１２】
2011008425.tif 000014
【図１３】
2011008425.tif 000015
【図１４】
2011008425.tif 000016
【図１６】
2011008425.tif 000017
【図１７】
2011008425.tif 000018
【図１８】
2011008425.tif 000019
【図２１】
2011008425.tif 000020
【図２２】
2011008425.tif 000021
【図２３】
2011008425.tif 000022
【図２４】
2011008425.tif 000023
【図２５】
2011008425.tif 000024
【図２６】
2011008425.tif 000025
【図２７】
2011008425.tif 000026
【図２８】
2011008425.tif 000027
【図２９】
2011008425.tif 000028
【図３４】
2011008425.tif 000029
【図３６】
2011008425.tif 000030
【図３８】
2011008425.tif 000031
【図３９】
2011008425.tif 000032
【図４０】
2011008425.tif 000033
【図４１】
2011008425.tif 000034
【図４２】
2011008425.tif 000035
【図４３】
2011008425.tif 000036
【図４４】
2011008425.tif 000037
【図４５】
2011008425.tif 000038
【図４６】
2011008425.tif 000039
【図４７】
2011008425.tif 000040
【図４８】
2011008425.tif 000041
【図４９】
2011008425.tif 000042
【図５０】
2011008425.tif 000043
【図５１】
2011008425.tif 000044
【図５２】
2011008425.tif 000045
【図５３】
2011008425.tif 000046
【図５４】
2011008425.tif 000047
【図５５】
2011008425.tif 000048
【図５６】
2011008425.tif 000049
【図５７】
2011008425.tif 000050
【図５８】
2011008425.tif 000051
【図５９】
2011008425.tif 000052
【図６０】
2011008425.tif 000053
【図６１】
2011008425.tif 000054
【図６２】
2011008425.tif 000055
【図６３】
2011008425.tif 000056
【図６４】
2011008425.tif 000057
【図６５】
2011008425.tif 000058
【図６６】
2011008425.tif 000059
【図６７】
2011008425.tif 000060
【図７０】
2011008425.tif 000061
【図７１】
2011008425.tif 000062
【図７２】
2011008425.tif 000063
【図７３】
2011008425.tif 000064
【図７４】
2011008425.tif 000065
【図１５】
2011008425.tif 000066
【図１９】
2011008425.tif 000067
【図２０】
2011008425.tif 000068
【図３０】
2011008425.tif 000069
【図３１】
2011008425.tif 000070
【図３２】
2011008425.tif 000071
【図３３】
2011008425.tif 000072
【図３５】
2011008425.tif 000073
【図３７】
2011008425.tif 000074
【図６８】
2011008425.tif 000075
【図６９】
2011008425.tif 000076